(57)【要約】  本開示は、情報ディスプレイ方法、装置、プログラムおよび記録媒体に関する。前記方法は、表示スクリーンが画面ＯＦＦ状態であるとき、ディスプレイ待ちの通知メッセージを受信するステップと、前記表示スクリーンが画面ＯＦＦ状態から画面ＯＮ状態に切り替わったとき、前記表示スクリーン上において隠し待ち対象を暗化処理し、前記通知メッセージをディスプレイするステップとを含み、前記隠し待ち対象は、前記表示スクリーン上に表示された前記通知メッセージ以外の全部あるいは一部の表示コンテンツを含む。本開示によれば、表示スクリーン上おいて隠し待ち対象を暗化し、通知メッセージをハイライト表示可能であるため、表示スクリーンにおけるディスプレイコンテンツが読みやすくなり、ユーザが当該通知メッセージに素早くフォーカスし、表示スクリーンのディスプレイ効果がより良好になり、ユーザ体験が良くなる。【選択図】図１Ａ
2017526016.tif 000002
【特許請求の範囲】
【請求項１】
表示スクリーンが画面ＯＦＦ状態であるとき、ディスプレイ待ちの通知メッセージを受信するステップと、
前記表示スクリーンが画面ＯＦＦ状態から画面ＯＮ状態に切り替わったとき、前記表示スクリーン上において隠し待ち対象を暗化処理し、前記通知メッセージをディスプレイするステップと、を含み、
前記隠し待ち対象は、前記表示スクリーン上に表示された前記通知メッセージ以外の全部あるいは一部の表示コンテンツを含むことを特徴とする情報ディスプレイ方法。
【請求項２】
前記表示スクリーン上において隠し待ち対象を暗化処理し、前記通知メッセージをディスプレイするステップは、
前記オリジナルロック画面の全体を被覆し得る画像である、あるいは、前記隠し待ち対象を被覆する画像である所定の暗化画像を、前記表示スクリーンに表示されたオリジナルロック画面の上層に重畳し表示して、前記隠し待ち対象を暗化するステップと、
前記暗化画像が前記オリジナルロック画面の全体を被覆し得る画像であるとき、前記通知メッセージを前記暗化画像の上層に重畳し表示するステップ、または、
前記暗化画像が前記隠し待ち対象を被覆する画像であるとき、前記通知メッセージを前記表示スクリーン上に表示するステップと、を含み、
前記オリジナルロック画面は、表示スクリーンが画面ＯＦＦ状態から画面ＯＮ状態に切り替わる際における所定の表示インターフェースであり、前記暗化画像の透明度は、所定の閾値よりも小さいことを特徴とする請求項１に記載の情報ディスプレイ方法。
【請求項３】
前記表示スクリーンにおける所定の検出領域に、タッチ制御イベントが発生したかどうかを検出するステップと、
前記検出領域にタッチ制御イベントが発生したと検出されると、前記表示スクリーンが前記暗化画像の表示を終了して前記隠し待ち対象を表示するように制御するステップと、をさらに含み、
前記検出領域は、前記表示スクリーンにおける任意の領域であることを特徴とする請求項２に記載の情報ディスプレイ方法。
【請求項４】
前記表示スクリーンが画面ＯＦＦ状態から画面ＯＮ状態に切り替わったとき、前記表示スクリーン上において隠し待ち対象を暗化処理し、前記通知メッセージをディスプレイするステップは、
前記表示スクリーンにおける第１の画素点をパワーオン状態にして、前記通知メッセージを表示するように制御するステップと、
前記表示スクリーンにおける第２の画素点をパワーオフ状態にして、前記隠し待ち対象を暗化するステップと、を含み、
前記第１の画素点は、前記通知メッセージの表示領域に対応する画素点であり、前記第２の画素点は、前記隠し待ち対象の表示領域に対応する画素点であることを特徴とする請求項１に記載の情報ディスプレイ方法。
【請求項５】
前記表示スクリーンにおける所定の検出領域に、タッチ制御イベントが発生したかどうかを検出するステップと、
前記検出領域にタッチ制御イベントが発生したと検出されると、前記第２の画素点をパワーオフ状態からパワーオン状態に切り替えて前記隠し待ち対象を表示するように制御するステップと、をさらに含み、
前記検出領域は、前記表示スクリーンにおける任意の領域であることを特徴とする請求項４に記載の情報ディスプレイ方法。
【請求項６】
前記通知メッセージを前記表示スクリーン上に表示するステップは、
複数の前記通知メッセージが受信されると、各前記通知メッセージの優先度に基づいて各前記通知メッセージに対応するディスプレイ形態を特定するステップと、
前記通知メッセージに対応する前記ディスプレイ形態に基づいて前記通知メッセージを前記表示スクリーン上に表示するステップと、を含み、
異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含むことを特徴とする請求項１から５のいずれかに記載の情報ディスプレイ方法。
【請求項７】
表示スクリーンが画面ＯＦＦ状態であるとき、ディスプレイ待ちの通知メッセージを受信するための受信モジュールと、
前記表示スクリーンが画面ＯＦＦ状態から画面ＯＮ状態に切り替わったとき、前記表示スクリーン上において隠し待ち対象を暗化処理し、前記通知メッセージをディスプレイするためのディスプレイモジュールと、を備え、
前記隠し待ち対象は、前記表示スクリーン上に表示された前記通知メッセージ以外の全部あるいは一部の表示コンテンツを含むことを特徴とする情報ディスプレイ装置。
【請求項８】
前記ディスプレイモジュールは、
前記オリジナルロック画面の全体を被覆し得る画像である、あるいは、前記隠し待ち対象を被覆する画像である所定の暗化画像を、前記表示スクリーンに表示されたオリジナルロック画面の上層に重畳し表示して、前記隠し待ち対象を暗化するための第１の表示サブモジュールと、
前記暗化画像が前記オリジナルロック画面の全体を被覆し得る画像であるとき、前記通知メッセージを前記暗化画像の上層に重畳し表示するための第２の表示サブモジュール、または、
前記暗化画像が前記隠し待ち対象を被覆する画像であるとき、前記通知メッセージを前記表示スクリーン上に表示するための第２の表示サブモジュールとを備え、
前記オリジナルロック画面は、表示スクリーンが画面ＯＦＦ状態から画面ＯＮ状態に切り替わる際における所定の表示インターフェースであり、前記暗化画像の透明度は、所定の閾値よりも小さいことを特徴とする請求項７に記載の情報ディスプレイ装置。
【請求項９】
前記ディスプレイモジュールは、
前記表示スクリーンにおける所定の検出領域に、タッチ制御イベントが発生したかどうかを検出するための第１の検出サブモジュールと、
前記検出領域にタッチ制御イベントが発生したと検出されると、前記表示スクリーンが前記暗化画像の表示を終了して前記オリジナルロック画面を表示するように制御するための第１の制御サブモジュールと、をさらに備え、
前記検出領域は、前記表示スクリーンにおける任意の領域であることを特徴とする請求項８に記載の情報ディスプレイ装置。
【請求項１０】
前記ディスプレイモジュールは、
前記表示スクリーンにおける第１の画素点をパワーオン状態にして、前記通知メッセージを表示するように制御するための第２の制御サブモジュールと、
前記表示スクリーンにおける第２の画素点の全部あるいは一部をパワーオフ状態にして、前記隠し待ち対象を暗化するための第３の制御サブモジュールと、を備え、
前記第１の画素点は、前記通知メッセージの表示領域に対応する画素点であり、前記第２の画素点は、前記隠し待ち対象の表示領域に対応する画素点であることを特徴とする請求項７に記載の情報ディスプレイ装置。
【請求項１１】
前記ディスプレイモジュールは、
前記表示スクリーンにおける所定の検出領域に、タッチ制御イベントが発生したかどうかを検出するための第２の検出サブモジュールと、
前記検出領域にタッチ制御イベントが発生したと検出されると、前記第２の画素点をパワーオフ状態からパワーオン状態に切り替えて前記隠し待ち対象を表示するように制御するための第４の制御サブモジュールと、をさらに備え、
前記検出領域は、前記表示スクリーンにおける任意の領域であることを特徴とする請求項１０に記載の情報ディスプレイ装置。
【請求項１２】
前記ディスプレイモジュールは、
複数の前記通知メッセージが受信されると、各前記通知メッセージの優先度に基づいて各前記通知メッセージに対応するディスプレイ形態を特定するための特定サブモジュールと、
前記通知メッセージに対応する前記ディスプレイ形態に基づいて前記通知メッセージを前記表示スクリーン上に表示するためのディスプレイサブモジュールと、を備え、
異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含むことを特徴とする請求項７から１１のいずれかに記載の情報ディスプレイ装置。
【請求項１３】
プロセッサと、
プロセッサの実行可能な指令を記憶するためのメモリと、を備え、
前記プロセッサは、
表示スクリーンが画面ＯＦＦ状態であるとき、ディスプレイ待ちの通知メッセージを受信し、
前記表示スクリーンが画面ＯＦＦ状態から画面ＯＮ状態に切り替わったとき、前記表示スクリーン上において隠し待ち対象を暗化処理し、前記通知メッセージをディスプレイするように構成され、
前記隠し待ち対象は、前記表示スクリーン上に表示された前記通知メッセージ以外の全部あるいは一部の表示コンテンツを含むことを特徴とする情報ディスプレイ装置。
【発明の詳細な説明】
【相互参照】
【０００１】
本発明は、出願番号が２０１５１０３６９８６４.５であり、出願日が２０１５年０６月２９日である中国特許出願を基に提出するものであり、当該中国特許出願の優先権を主張し、当該中国特許出願の全てのコンテンツは、参照のため本願に援用される。
【技術分野】
【０００２】
本開示は、通信技術分野に関し、特に、情報ディスプレイ方法および装置に関する。
【背景技術】
【０００３】
端末技術の発展につれて、ユーザの様々なニーズに応えるように、ますます多くなる新機能がスマート端末に搭載されている。画面ロック状態での端末の表示インターフェースは、ユーザが端末のシステムと接触する最もよく見られるインターフェースの１つである。関連技術では、端末の表示スクリーンが画面ＯＦＦ状態において通知メッセージをディスプレイする必要が生じるとき、表示スクリーンは、画面ＯＦＦ状態から画面ＯＮ状態に切り替わり、天気、日付、状態情報および上記通知メッセージ等のコンテンツをディスプレイする。
【発明の概要】
【発明が解決しようとする課題】
【０００４】
関連技術に存在する問題を克服するために、本開示は、情報ディスプレイ方法および装置を提供する。
【課題を解決するための手段】
【０００５】
本開示の実施例の第１の態様によれば、情報ディスプレイ方法を提供する。前記方法は、
表示スクリーンが画面ＯＦＦ状態であるとき、ディスプレイ待ちの通知メッセージを受信するステップと、
前記表示スクリーンが画面ＯＦＦ状態から画面ＯＮ状態に切り替わったとき、前記表示スクリーン上において隠し待ち対象を暗化処理し、前記通知メッセージをディスプレイするステップと、を含み、前記隠し待ち対象は、前記表示スクリーン上に表示された前記通知メッセージ以外の全部あるいは一部の表示コンテンツを含む。
【０００６】
好ましくは、前記前記表示スクリーン上において隠し待ち対象を暗化処理し、前記通知メッセージをディスプレイするステップは、
前記オリジナルロック画面の全体を被覆し得る画像である、あるいは、前記隠し待ち対象を被覆する画像である所定の暗化画像を、前記表示スクリーンに表示されたオリジナルロック画面の上層に重畳し表示して、前記隠し待ち対象を暗化するステップと、
前記暗化画像が前記オリジナルロック画面の全体を被覆し得る画像であるとき、前記通知メッセージを前記暗化画像の上層に重畳し表示するステップ、または、
前記暗化画像が前記隠し待ち対象を被覆する画像であるとき、前記通知メッセージを前記表示スクリーン上に表示するステップと、を含み、
前記オリジナルロック画面は、表示スクリーンが画面ＯＦＦ状態から画面ＯＮ状態に切り替わる際における所定の表示インターフェースであり、前記暗化画像の透明度は、所定の閾値よりも小さい。
【０００７】
好ましくは、前記方法は、
前記表示スクリーンにおける所定の検出領域に、タッチ制御イベントが発生したかどうかを検出するステップと、
前記検出領域にタッチ制御イベントが発生したと検出されると、前記表示スクリーンが前記暗化画像の表示を終了して前記隠し待ち対象を表示するように制御するステップと、をさらに含み、前記検出領域は、前記表示スクリーンにおける任意の領域である。
【０００８】
好ましくは、前記前記表示スクリーンが画面ＯＦＦ状態から画面ＯＮ状態に切り替わったとき、前記表示スクリーン上において隠し待ち対象を暗化処理し、前記通知メッセージをディスプレイするステップは、
前記表示スクリーンにおける第１の画素点をパワーオン状態にして、前記通知メッセージを表示するように制御するステップと、
前記表示スクリーンにおける第２の画素点をパワーオフ状態にして、前記隠し待ち対象を暗化するステップと、を含み、前記第１の画素点は、前記通知メッセージの表示領域に対応する画素点であり、前記第２の画素点は、前記隠し待ち対象の表示領域に対応する画素点である。
【０００９】
好ましくは、前記方法は、
前記表示スクリーンにおける所定の検出領域に、タッチ制御イベントが発生したかどうかを検出するステップと、
前記検出領域にタッチ制御イベントが発生したと検出されると、前記第２の画素点をパワーオフ状態からパワーオン状態に切り替えて前記隠し待ち対象を表示するように制御するステップとを、さらに含み、前記検出領域は、前記表示スクリーンにおける任意の領域である。
【００１０】
好ましくは、前記通知メッセージを前記表示スクリーン上に表示するステップは、
複数の前記通知メッセージが受信されると、各前記通知メッセージの優先度に基づいて各前記通知メッセージに対応するディスプレイ形態を特定するステップと、
前記通知メッセージに対応する前記ディスプレイ形態に基づいて前記通知メッセージを前記表示スクリーン上に表示するステップと、を含み、異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含む。
【００１１】
本開示の実施例の第２の態様によれば、情報ディスプレイ装置を提供する。前記装置は、
表示スクリーンが画面ＯＦＦ状態であるとき、ディスプレイ待ちの通知メッセージを受信するための受信モジュールと、
前記表示スクリーンが画面ＯＦＦ状態から画面ＯＮ状態に切り替わったとき、前記表示スクリーン上において隠し待ち対象を暗化処理し、前記通知メッセージをディスプレイするためのディスプレイモジュールと、を備え、前記隠し待ち対象は、前記表示スクリーン上に表示された前記通知メッセージ以外の全部あるいは一部の表示コンテンツを含む。
【００１２】
好ましくは、前記ディスプレイモジュールは、
前記オリジナルロック画面の全体を被覆し得る画像である、あるいは、前記隠し待ち対象を被覆する画像である所定の暗化画像を、前記表示スクリーンに表示されたオリジナルロック画面の上層に重畳し表示して、前記隠し待ち対象を暗化するための第１の表示サブモジュールと、
前記暗化画像が前記オリジナルロック画面の全体を被覆し得る画像であるとき、前記通知メッセージを前記暗化画像の上層に重畳し表示するための第２の表示サブモジュール、または、
前記暗化画像が前記隠し待ち対象を被覆する画像であるとき、前記通知メッセージを前記表示スクリーン上に表示するための第２の表示サブモジュールと、を備え、前記オリジナルロック画面は、表示スクリーンが画面ＯＦＦ状態から画面ＯＮ状態に切り替わる際における所定の表示インターフェースであり、前記暗化画像の透明度は、所定の閾値よりも小さい。
【００１３】
好ましくは、前記ディスプレイモジュールは、
前記表示スクリーンにおける所定の検出領域に、タッチ制御イベントが発生したかどうかを検出するための第１の検出サブモジュールと、
前記検出領域にタッチ制御イベントが発生したと検出されると、前記表示スクリーンが前記暗化画像の表示を終了して前記オリジナルロック画面を表示するように制御するための第１の制御サブモジュールと、をさらに備え、前記検出領域は、前記表示スクリーンにおける任意の領域である。
【００１４】
好ましくは、前記ディスプレイモジュールは、
前記表示スクリーンにおける第１の画素点をパワーオン状態にして、前記通知メッセージを表示するように制御するための第２の制御サブモジュールと、
前記表示スクリーンにおける第２の画素点の全部あるいは一部をパワーオフ状態にして前記隠し待ち対象を暗化するように制御するための第３の制御サブモジュールと、を備え、前記第１の画素点は、前記通知メッセージの表示領域に対応する画素点であり、前記第２の画素点は、前記隠し待ち対象の表示領域に対応する画素点である。
【００１５】
好ましくは、前記ディスプレイモジュールは、
前記表示スクリーンにおける所定の検出領域に、タッチ制御イベントが発生したかどうかを検出するための第２の検出サブモジュールと、
前記検出領域にタッチ制御イベントが発生したと検出されると、前記第２の画素点をパワーオフ状態からパワーオン状態に切り替えて前記隠し待ち対象を表示するように制御するための第４の制御サブモジュールと、をさらに備え、前記検出領域は、前記表示スクリーンにおける任意の領域である。
【００１６】
好ましくは、前記ディスプレイモジュールは、
複数の前記通知メッセージが受信されると、各前記通知メッセージの優先度に基づいて各前記通知メッセージに対応するディスプレイ形態を特定するための特定サブモジュールと、
前記通知メッセージに対応する前記ディスプレイ形態に基づいて前記通知メッセージを前記表示スクリーン上に表示するためのディスプレイサブモジュールと、を備え、異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含む。
【００１７】
本開示の実施例の第３の態様によれば、情報ディスプレイ装置を提供する。前記装置は、
プロセッサと、
プロセッサの実行可能な指令を記憶するためのメモリと、を備え、
前記プロセッサは、
表示スクリーンが画面ＯＦＦ状態であるとき、ディスプレイ待ちの通知メッセージを受信し、
前記表示スクリーンが画面ＯＦＦ状態から画面ＯＮ状態に切り替わったとき、前記表示スクリーン上において隠し待ち対象を暗化処理し、前記通知メッセージをディスプレイするように構成され、前記隠し待ち対象は、前記表示スクリーン上に表示された前記通知メッセージ以外の全部あるいは一部の表示コンテンツを含む。
【発明の効果】
【００１８】
本開示の実施例による技術案は、以下の格別な作用効果を含むことができる。
【００１９】
本開示では、表示スクリーンが画面ＯＦＦ状態でディスプレイ待ちの通知メッセージを受信すると、表示スクリーンは、画面ＯＮ状態に入り、前記通知メッセージをディスプレイする一方、表示スクリーン上に表示された前記通知メッセージ以外の全部あるいは一部の表示コンテンツを暗化処理する。したがって、本開示によれば、表示スクリーン上おいて隠し待ち対象を暗化し、通知メッセージをハイライト表示可能であるため、表示スクリーンにおけるディスプレイコンテンツを読みやすくなり、ユーザが当該通知メッセージに素早くフォーカスし、表示スクリーンのディスプレイ効果がより良好になり、ユーザ体験が良くなる。
【００２０】
本開示での暗化画像が前記オリジナルロック画面の全体を被覆し得る画像、または前記隠し待ち対象を被覆する画像であり、暗化画像の透明度が所定の閾値より小さいため、暗化画像により隠し待ち対象を被覆することで、隠し待ち対象を暗化する目的が達成可能であり、さらに通知メッセージを有効にハイライト表示し、表示スクリーンにディスプレイされたコンテンツが読みやすくなり、ユーザが表示スクリーンを見るときに通知メッセージに素早くフォーカス可能であり、ユーザ体験が向上する。
【００２１】
本開示では、表示スクリーンにおける所定の検出領域にタッチ制御イベントが発生したとき、前記表示スクリーンが前記暗化画像の表示を終了して隠し待ち対象を表示するように制御するため、隠し待ち対象が暗化状態でなくなり、表示スクリーン上で他の表示コンテンツを表示可能であり、ユーザが表示スクリーン上に他の常用情報を便利で迅速に検索でき、ユーザ体験が向上する。
【００２２】
本開示では、表示スクリーン上における画素点について、通知メッセージのディスプレイ時、通知メッセージの表示領域に対応する画素点をパワーオン状態にして、隠し待ち対象の表示領域に対応する画素点をパワーオフ状態にするように制御するため、通知メッセージを表示スクリーン上にハイライト表示可能であり、表示スクリーンにディスプレイされたコンテンツが読みやすくなり、ユーザが当該通知メッセージに素早くフォーカスし、表示スクリーンのディスプレイ効果がより良好になる。さらに、第１の画素点のみをパワーオン状態に制御し、第２の画素点をパワーオフ状態に制御するため、端末の消費電力も低減可能である。
【００２３】
本開示では、表示スクリーンにおける所定の検出領域にタッチ制御イベントが発生したとき、パワーオフ状態にある第２の画素点をパワーオン状態にして前記隠し待ち対象を表示するため、隠し待ち対象が暗化状態でなくなり、表示スクリーン上で他の表示コンテンツを表示可能であり、ユーザが表示スクリーン上に他の常用情報を便利で迅速に検索でき、ユーザ体験が向上する。
【００２４】
本開示では、各前記通知メッセージの優先度に基づいて各前記通知メッセージに対応するディスプレイ形態を特定し、異なる優先度にある通知メッセージに対応するディスプレイ形態は、同じであってもよいし、異なってもよく、ディスプレイ順、輝度値、フォント、文字サイズ、色値のうちのいずれか１つあるいは複数のディスプレイ形態により通知メッセージをディスプレイしてもよく、通知メッセージのディスプレイ形態がより豊富になり、ユーザ体験が向上する。
【００２５】
上述した一般的な記述および後続の詳細な記述は、単に例示的および解釈的なものであり、本発明を制限できるものでないと理解されるべきである。
【図面の簡単な説明】
【００２６】
ここでの図面は、明細書を構成する一部として見なされ、本開示に適した実施例を示し、かつ、明細書の文字記載とともに本開示の仕組みを解釈するために用いられる。
【００２７】
【図１Ａ】本開示の一実施例による情報ディスプレイ方法を示すフローチャートである。
【図１Ｂ】本開示の一実施例による端末画面ＯＦＦ状態を示す模式図である。
【図１Ｃ】本開示の一実施例による端末が表示スクリーンにおいて通知メッセージをディスプレイする模式図である。
【図１Ｄ】本開示の一実施例による別の端末が表示スクリーンにおいて通知メッセージをディスプレイする模式図である。
【図１Ｅ】本開示の一実施例による別の端末が表示スクリーンにおいて通知メッセージをディスプレイする模式図である。
【図２Ａ】本開示の一実施例による別の情報ディスプレイ方法を示すフローチャートである。
【図２Ｂ】本開示の一実施例による一種表示スクリーン表示オリジナルロック画面の模式図である。
【図２Ｃ】本開示の一実施例による暗化画像を示す模式図である。
【図２Ｄ】本開示の一実施例による通知メッセージを示す模式図である。
【図２Ｅ】本開示の一実施例による通知メッセージ、暗化画像およびオリジナルロック画面を重畳して表示する模式図である。
【図２Ｆ】本開示の一実施例による表示スクリーンにおいて通知メッセージをディスプレイする模式図である。
【図３Ａ】本開示の一実施例による別の情報ディスプレイ方法を示すフローチャートである。
【図３Ｂ】本開示の一実施例によるＯＬＥＤ表示スクリーンおよびその一部を拡大する模式図である。
【図３Ｃ】本開示の一実施例による第１の画素点をパワーオン状態に制御する模式図である。
【図３Ｄ】本開示の一実施例による別の表示スクリーンにおいて通知メッセージをディスプレイする模式図である。
【図４】本開示の一実施例による情報ディスプレイ装置を示すブロック図である。
【図５】本開示の一実施例による別の情報ディスプレイ装置を示すブロック図である。
【図６】本開示の一実施例による別の情報ディスプレイ装置を示すブロック図である。
【図７】本開示の一実施例による別の情報ディスプレイ装置を示すブロック図である。
【図８】本開示の一実施例による別の情報ディスプレイ装置を示すブロック図である。
【図９】本開示の一実施例による別の情報ディスプレイ装置を示すブロック図である。
【図１０】本開示の一実施例による情報ディスプレイ装置のためのブロック図である。
【発明を実施するための形態】
【００２８】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の局面と一致する装置および方法の例に過ぎない。
【００２９】
本開示に記載の用語は、特定の実施例を説明する目的で使用されるものに過ぎず、本開示を限定するものではない。本開示及び添付する特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の1つ又は複数の何れ又は全ての組み合わせを意味する。
【００３０】
また、本開示は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、文脈の意味によって、「……時」或は「……と」又は「確定に応じる」に解釈されてもよい。
【００３１】
図１Ａに示すように、図１Ａは、一実施例による情報ディスプレイ方法を示すフローチャートであり、当該方法は、端末に適用可能であり、以下のステップを含む。
【００３２】
ステップ１０１では、表示スクリーンが画面ＯＦＦ状態であるとき、ディスプレイ待ちの通知メッセージを受信する。
【００３３】
ステップ１０２では、前記表示スクリーンが画面ＯＦＦ状態から画面ＯＮ状態に切り替わったとき、前記表示スクリーン上において隠し待ち対象を暗化処理し、前記通知メッセージをディスプレイする。
【００３４】
ただし、隠し待ち対象は、表示スクリーン上に表示された前記通知メッセージ以外の全部あるいは一部の表示コンテンツを含む。
【００３５】
本開示の実施例では、端末は、スマート端末、例えば、スマートフォン、タブレットＰＣ、ＰＤＡ（Ｐｅｒｓｏｎａｌ Ｄｉｇｉｔａｌ Ａｓｓｉｓｔａｎｔ、個人向け情報端末）、電子書籍リーダー、マルチメディアプレーヤーなどであってもよい。
【００３６】
本開示に供される実施例では、画面ＯＦＦ状態とは、端末の表示スクリーンにパワーオンせず、スクリーンが点灯していない状態を指す。画面ＯＦＦ状態において、端末がロック状態になる。通常、スマート端末は、ユーザから入力されたアンロック指令を受けてから始めて当該ロック状態を解除することができる。ユーザがパワーキーまたはホームキーをクリックするとき（その際、端末がアンロックしていない）、表示スクリーンは、パワーオンする。その際、表示スクリーンが画面ＯＮ状態になり、表示スクリーンに一般的に、システムで設定された対象、例えば、ウォールペーパー、天気ウィジェット、時間ウィジェット、ツールバーウィジェット、アプリケーション等を表示する。そして、表示スクリーンにおける各対象のインターフェースレイアウトおよび表示コンテンツも予め設定してもよい。例えば、表示スクリーンにおける文字表示のサイズや位置、各プラグインの表示方式および位置等であってもよい。具体的な実施例として、日付フォーマットは、年月日であってもよいし、日月年であってもよい。さらに、天気ウィジェットにおける温度の表示フォント、フォントサイズ、または天気アイコンの表示位置等を含んでもよい。
【００３７】
本開示に供される実施例では、ディスプレイ待ちの通知情報は、主にスマート端末が画面ＯＦＦ且つ画面ロックの状態において受信された情報である。通知情報は、スマート端末にインストールされたアプリケーションソフトで生成された情報であってもよい。例えば、ＳＭＳアプリケーションで生成されたショットメッセージ、社交アプリケーションで生成された即時通信情報、メールアプリケーションで生成された電子メール通知、および他の各アプリケーションで生成されたプッシュ情報等であってもよい。このような通知情報は、ロック状態での表示スクリーンに表示可能であり、通常、ユーザは、当該通知情報のディスプレイ形態を設定することができる。例えば、通知情報の受信後、表示スクリーンを点灯して表示スクリーンにおいて通知情報のコンテンツの全部を表示するか、あるいは、表示スクリーンを点灯して１つのプロファイルディスプレイを表示する等が可能である。前記ディスプレイ形態は、さらに、通知メッセージの表示スクリーンでのディスプレイ位置、フォントサイズ、または、フォント色等を含んでもよい。
【００３８】
端末が画面ＯＦＦ状態であるとき、表示スクリーンが点灯しておらず、図１Ｂに示すように、本開示の端末が画面ＯＦＦ状態である模式図である。表示待ちの通知情報が受信されると、端末の表示スクリーンがパワーオンして点灯し、当該通知情報を表示スクリーンに表示する。図１Ｃに示すように、本開示の端末が表示スクリーンにおいて通知メッセージをディスプレイする模式図である。図１Ｂおよび図１Ｃから分かるように、端末が画面ＯＦＦ状態であるとき、端末の表示スクリーンが点灯しておらず、アプリケーションで生成された通知情報を端末で受信すると、表示スクリーンがパワーオンして、通知メッセージを表示する。図１Ｃにおける表示スクリーンに、ツールバーウィジェット、時間ウィジェット、日付ウィジェット、天気ウィジェット、Ｍｉｔａｌｋ（Ｘｉａｏｍｉ社のモバイルメッセージングアプリ）通知情報、カメラアプリケーションアイコン等が表示されている。図１Ｃから分かるように、表示スクリーンに多くのコンテンツが表示されており、そのディスプレイ効果が悪くて、ユーザが通知メッセージに対する注意力を逸らしてしまう。
【００３９】
本実施例では、ディスプレイ待ちの通知メッセージが受信されると、表示スクリーンが画面ＯＦＦ状態から画面ＯＮ状態に入り、表示スクリーンにおいて隠し待ち対象を暗化処理し、前記通知メッセージをディスプレイする。隠し待ち対象は、前記表示スクリーン上に表示された前記通知メッセージ以外の全部あるいは一部の表示コンテンツを含んでもよい。図１Ｄに示すように、本開示による別の端末が表示スクリーンにおいて通知メッセージをディスプレイする模式図であり、図１Ｄから分かるように、本開示の実施例の表示スクリーンに、通知メッセージのみがディスプレイされており、表示スクリーンにディスプレイされたコンテンツがより簡潔になり、ユーザが当該通知メッセージに素早くフォーカスし、表示スクリーンのディスプレイ効果がより良好になり、ユーザ体験が良くなる。
【００４０】
図１Ｄに示す実施例では、隠し待ち対象が表示スクリーン上に表示された前記通知メッセージ以外の表示コンテンツの全てを含むため、表示スクリーンに通知メッセージのみが表示される。他の好適な実現方式では、前記隠し待ち対象は、表示スクリーン上表示された前記通知メッセージ以外の一部の表示コンテンツを含んでもよい。つまり、表示スクリーン上に、通知メッセージをディスプレイする以外に、別のコンテンツもさらにディスプレイしてもよく、例えば、アプリケーションアイコンまたはツールバーウィジェット等をディスプレイしてもよい。
【００４１】
図１Ｅに示すように、本開示の別の端末が表示スクリーンにおいて通知メッセージをディスプレイする模式図であり、図１Ｅから分かるように、表示スクリーンに通知メッセージおよびツールバーウィジェットが表示されており、隠し待ち対象が表示スクリーン上に表示された前記通知メッセージ以外の一部のコンテンツを含み、ツールバーウィジェットは、隠し待ち対象に含まれていない。図１Ｅに示す実施例は、図１Ｃよりも、多くの表示コンテンツが削減され、表示スクリーンにディスプレイされたコンテンツが読みやすくなり、ユーザが当該通知メッセージに素早くフォーカスし、表示スクリーンのディスプレイ効果がより良好になり、ユーザ体験が良くなる。
【００４２】
上記隠し待ち対象は、実際のアプリケーションにおいて実際の必要に応じて柔軟に設定可能であり、本開示は、それについて限定しない。
【００４３】
その中、前記表示スクリーンが画面ＯＦＦ状態から画面ＯＮ状態に切り替わったとき、前記表示スクリーン上において隠し待ち対象を暗化処理し、前記通知メッセージをディスプレイするステップについて、以下の２通りの方式が採用される。
【００４４】
（方式一）
所定の暗化画像を、前記表示スクリーンに表示されたオリジナルロック画面の上層に重畳し表示して、前記隠し待ち対象を暗化する。
【００４５】
ただし、オリジナルロック画面は、表示スクリーンが画面ＯＦＦ状態から画面ＯＮ状態に切り替わる際における所定の表示インターフェースであり、暗化画像は、オリジナルロック画面の全体を被覆し得る画像、または隠し待ち対象を被覆する画像であり、当該暗化画像の透明度は、所定の閾値より小さい。
【００４６】
その中、暗化画像の遮蔽効果を保証するために、当該暗化画像は、透明形態で被覆することができない。ここでの所定の閾値は、１００%であってもよい。
【００４７】
上記暗化画像に対する記述に合わせて、相応的に、通知メッセージをディスプレイする方式も、２通り存在する。
【００４８】
第１種方式は、暗化画像がオリジナルロック画面の全体を被覆し得る画像であり、通知メッセージを暗化画像の上層に重畳表示する。
【００４９】
第２種方式は、暗化画像が隠し待ち対象を被覆する画像であり、通知メッセージを表示スクリーン上に表示する。
【００５０】
本実施例では、端末のオペレーティングシステムのアプリケーション層に上記処理手順を実現可能であり、液晶表示スクリーン等の多種の表示スクリーンに適用される。
【００５１】
第１種方式では、オリジナルロック画面とは、表示スクリーンが画面ＯＦＦ状態から画面ＯＮ状態に切り替える際における所定の表示インターフェースを指し、通知メッセージをハイライト表示するように、暗化画像をオリジナルロック画面の上層に重畳表示してもよい。暗化画像は、隠し待ち対象を暗化し、その透明度が所定の閾値よりも小さく、前記オリジナルロック画面の全体を被覆してもよい。実際のアプリケーションでは、前記透明度が必要に応じて柔軟に設定可能であり、暗化画像の透明度が一定の閾値よりも小さいとき、暗化画像がオリジナルロック画面の表示効果を遮蔽可能であるため、隠し待ち対象を暗化する目的を達成する。暗化画像は、暗色系画像や、黒色画像等の画像であってもよく、実際のアプリケーションの場合は、必要に応じて柔軟に選択可能であり、本開示は、それについて限定しない。
【００５２】
暗化画像でオリジナルロック画面の全体を被覆した後で、通知メッセージがさらに暗化画像の上層に重畳表示されてもよく、通知メッセージの表示形態は、高輝度表示、暗化画像の補色表示等の方式であってもよい。例えば、暗化画像が緑色画像であるとき、通知メッセージを赤色に設定して、ハイライト表示の効果を達成する。
【００５３】
第２種方式では、暗化画像が隠し待ち対象を被覆する画像であり、暗化画像の透明度が所定の閾値よりも小さくて、隠し待ち対象の表示効果を遮蔽することにより、隠し待ち対象を暗化する目的を達成する。暗化画像で隠し待ち対象を被覆した後で、表示スクリーンに通知メッセージをディスプレイする。
【００５４】
本開示の実施例では、暗化画像が前記オリジナルロック画面の全体を被覆し得る画像、または前記隠し待ち対象を被覆する画像であり、暗化画像の透明度が所定の閾値より小さいため、暗化画像により隠し待ち対象を被覆することで、隠し待ち対象を暗化する目的が達成可能であり、さらに通知メッセージを有効にハイライト表示し、表示スクリーンにディスプレイされたコンテンツが読みやすくなり、ユーザが表示スクリーンを見るときに通知メッセージに素早くフォーカス可能であり、ユーザ体験が向上する。
【００５５】
（方式二）
前記表示スクリーンにおける第１の画素点をパワーオン状態にして、前記通知メッセージを表示するように制御する。ただし、第１の画素点は、前記通知メッセージの表示領域に対応する画素点である。
【００５６】
前記表示スクリーンにおける第２の画素点をパワーオフ状態にして、前記隠し待ち対象を暗化する。ただし、第２の画素点は、前記隠し待ち対象の表示領域に対応する画素点である。
【００５７】
本実施例は、端末のオペレーティングシステムのハードウェア層に上記処理手順を実現可能であり、ＯＬＥＤ（Ｏｒｇａｎｉｃ Ｌｉｇｈｔ-Ｅｍｉｔｔｉｎｇ Ｄｉｏｄｅ、有機エレクトロルミネッセンス）等の多種の表示スクリーンに適用する。本実施例では、通知メッセージの表示領域、即ち、通知メッセージの表示スクリーン上でのディスプレイ位置を取得し、前記第１の画素点が表示領域に対応する画素点であり、表示領域に対応する画素点をパワーオンするとき、画素点が点灯して表示スクリーン上に通知メッセージをディスプレイする一方、第２の画素点、即ち、前記隠し待ち対象の表示領域に対応する画素点について、パワーオフ状態に制御して隠し待ち対象を暗化する。
【００５８】
本実施例では、表示スクリーン上における画素点について、通知メッセージのディスプレイ時、通知メッセージの表示領域に対応する画素点をパワーオン状態にして、隠し待ち対象の表示領域に対応する画素点をパワーオフ状態にするように制御するため、通知メッセージを表示スクリーン上にハイライト表示可能であり、表示スクリーンにディスプレイされたコンテンツが読みやすくなり、ユーザが当該通知メッセージに素早くフォーカスし、表示スクリーンのディスプレイ効果がより良好になる。さらに、第１の画素点のみをパワーオン状態に制御し、第２の画素点をパワーオフ状態に制御するため、端末の消費電力も低減可能である。
【００５９】
ある好適な実現方式では、前記通知メッセージを前記表示スクリーン上に表示するステップは、
複数の前記通知メッセージが受信されると、各前記通知メッセージの優先度に基づいて各前記通知メッセージに対応するディスプレイ形態を特定するステップと、
前記通知メッセージに対応する前記ディスプレイ形態に基づいて前記通知メッセージを前記表示スクリーン上に表示するステップとを含んでもよい。
【００６０】
ただし、異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含む。
【００６１】
本実施例では、通知情報は、スマート端末にインストールされたアプリケーションソフトで生成された情報であってもよい。例えば、ＳＭＳアプリケーションで生成されたショットメッセージ、社交アプリケーションで生成された即時通信情報、メールアプリケーションで生成された電子メール通知、および他の各アプリケーションで生成されたプッシュ情報等であってもよい。端末が画面ＯＦＦ状態で複数の通知メッセージを受信すると、ユーザの異なる通知メッセージに対する注目度に応じて、異なるディスプレイ形態に基づいて前記通知メッセージをディスプレイしてもよい。
【００６２】
その中、優先度は、異なるアプリケーションに応じて予め設定されてもよいし、ユーザの使用頻度や、通知メッセージの受信周波数等の要素に応じて設定されてもよい。例えば、社交アプリケーションの通知メッセージを最高優先度に設定し、システム更新等のシステムレベルアプリケーションの通知メッセージを低い優先度に設定してもよい。あるいは、同一のアプリケーションで生成された通知メッセージについて異なる優先度を設定してもよい。例えば、社交アプリケーションが通常複数のチャット友人に関わるため、異なる友人について異なる優先度を設定してもよい。本実施例では、優先度は、実際の必要に応じて柔軟に設定可能であり、本開示は、それについて限定しない。
【００６３】
異なる優先度の前記通知メッセージに対応するディスプレイ形態は、同じあるいは異なる。前記ディスプレイ形態は、ディスプレイ順、輝度値、フォント、文字サイズ、色値のうちのいずれか１つあるいは複数を含む。前記通知メッセージのディスプレイ時、通知メッセージに対応する前記ディスプレイ形態に基づいて前記通知メッセージを前記表示スクリーン上に表示する。
【００６４】
本実施例では、各前記通知メッセージの優先度に基づいて各前記通知メッセージに対応するディスプレイ形態を特定し、異なる優先度にある通知メッセージに対応するディスプレイ形態が同じであってもよいし、異なってもよく、ディスプレイ順、輝度値、フォント、文字サイズ、色値のうちのいずれか１つあるいは複数のディスプレイ形態により通知メッセージをディスプレイするため、通知メッセージのディスプレイ形態がより豊富になり、ユーザ体験が向上する。
【００６５】
図２Ａに示すように、図２Ａは、一実施例による情報ディスプレイ方法を示すフローチャートであり、当該方法は、端末に適用可能であり、当該方法は、上記実施例に加えて、如何にして前記表示スクリーン上において隠し待ち対象を暗化処理し、前記通知メッセージをディスプレイするかの処理手順を記述して、以下のステップを含む。
【００６６】
ステップ２０１では、所定の暗化画像を、前記表示スクリーンに表示されたオリジナルロック画面の上層に重畳し表示して、前記隠し待ち対象を暗化する。
【００６７】
説明必要なことは、本実現方式は、暗化画像を前記オリジナルロック画面の全体を被覆し得る画像にする例について説明する。
【００６８】
ステップ２０２では、前記通知メッセージを前記暗化画像の上層に重畳し表示する。
【００６９】
ステップ２０３では、前記表示スクリーンにおける所定の検出領域にタッチ制御イベントが発生したかどうかを検出する。
【００７０】
ただし、検出領域は、前記表示スクリーンにおける任意領域である。
【００７１】
ステップ２０４では、前記検出領域にタッチ制御イベントが発生したと検出されると、前記表示スクリーンが前記暗化画像の表示を終了して前記隠し待ち対象を表示するように制御する。
【００７２】
なお、説明必要なことは、上述した暗化画像の異なる形態に対する記述に合わせて、該当する通知メッセージをディスプレイする方式も異なる。且つ、以上で記述された２種類のディスプレイ形態に合わせて、当該図２Ａに示す実現方式では、上記第１種ディスプレイ方式を例として記述し、それ相応に、第２種ディスプレイ方式の実行時、対応するステップ２０２での実現方式を通知メッセージを表示スクリーン上に表示するように変更すればよい。他のステップの実現方式が当該図２Ａで記述された実現方式と同じであるため、ここで繰り返し説明しない。
【００７３】
本実施例は、端末のオペレーティングシステムのアプリケーション層に実現可能であり、液晶表示スクリーン等の多種の表示スクリーンタイプに適用する。本実施例では、前記オリジナルロック画面は、表示スクリーンが画面ＯＦＦ状態から画面ＯＮ状態に切り替わる際における所定の表示インターフェースであり、通知メッセージをハイライト表示するように、暗化画像をオリジナルロック画面の上層に重畳表示してもよい。暗化画像は、隠し待ち対象を暗化し、暗化画像の透明度が所定の閾値よりも小さく、前記オリジナルロック画面の全体を被覆してもよい。実際のアプリケーションでは、前記透明度が必要に応じて柔軟に設定可能であり、暗化画像の透明度が一定の閾値よりも小さいとき、暗化画像がオリジナルロック画面の表示効果を遮蔽可能であるため、隠し待ち対象を暗化する目的を達成する。暗化画像は、暗色系画像や、黒色画像等の画像であってもよく、実際のアプリケーションの場合は、必要に応じて柔軟に選択可能であり、本開示は、それについて限定しない。
【００７４】
暗化画像でオリジナルロック画面の全体を被覆した後で、通知メッセージがさらに暗化画像の上層に重畳表示されてもよく、通知メッセージの表示形態は、高輝度表示、暗化画像の補色表示等の方式であってもよい。例えば、暗化画像が緑色画像であるとき、通知メッセージを赤色に設定して、ハイライト表示の効果を達成する。
【００７５】
前記表示スクリーンが前記暗化画像の表示を終了するように制御することは、指令をアプリケーション層からハードウェア層中の表示スクリーンに出力して、暗化画像の表示を停止するよう表示スクリーンに通知してもよい。実際のアプリケーションでは、暗化画像をオリジナルロック画面の上層に重畳表示することは、アプリケーション層において複数の方式で実現可能である。例えば、その表示を、ビュー対象を定義することで実現してもよいし、ウィンドー対象を定義することで実現してもよい。表示スクリーンが前記暗化画像を取り消すように制御するとき、その実現ロジックは、１つのビューの閉じもしくは削除、またはウィンドーの閉じなどであってもよく、表示スクリーンが暗化画像の表示を終了する旨を通知する。
【００７６】
図２Ｂに示すように、本開示の表示スクリーンでオリジナルロック画面を表示する模式図であり、当該オリジナルロック画面では、隠し待ち対象が表示されており、暗化画像をオリジナルロック画面の上層に重畳表示してもよい。図２Ｃに示すように、本開示の暗化画像の模式図であり、当該暗化画像が黒色画像を採用し、その透明度を０にすることで、前記隠し待ち対象を暗化すするため、隠し待ち対象が不可視状態になる。図２Ｄに示すように、本開示の通知メッセージを示す模式図であり、図２Ｅは、本開示の通知メッセージ、暗化画像およびオリジナルロック画面を重畳して表示する模式図であり、図２Ｅでは、暗化画像をオリジナルロック画面の上層に重畳表示して、通知メッセージを暗化画像の上層に重畳表示する。最終的な表示効果が図２Ｆに示されており、図２Ｆは、本開示の表示スクリーンにおいて通知メッセージをディスプレイする模式図である。当該通知メッセージが白色フォントを採用し、つまり、その表示形態が暗化画像の補色表示の形態を採用する。これにより、通知メッセージを暗化画像の上層に被覆するとき、通知メッセージをさらにハイライト表示する。図２Ｆから分かるように、本実施例では、端末表示スクリーンが通知メッセージのみを表示し、通知メッセージに関連しない他の隠し待ち対象を暗化するため、表示スクリーンの表示コンテンツがより簡潔になり、ユーザが当該通知メッセージに素早くフォーカスし、表示スクリーンのディスプレイ効果がより良好になり、ユーザ体験が良くなる。
【００７７】
表示スクリーンに通知メッセージのみが表示されたため、本実施例では、ユーザが隠し待ち対象を閲覧する必要が生じるとき、隠し待ち対象を表示してユーザに閲覧させることができる。実施時、表示スクリーンに検出領域を予め設定してもよく、前記検出領域は、前記表示スクリーンにおける任意の領域、例えば、表示スクリーンの全領域、または、表示スクリーンの中部領域等であってもよい。前記タッチ制御イベントは、クリックイベント、ダブルクリックイベント、スライドイベント等であってもよい。上記検出領域およびタッチ制御イベントは、当業者が必要に応じて柔軟に選択可能であり、本開示の実施例は、それについて限定しない。
【００７８】
検出領域にタッチ制御イベントが発生したと検出されると、前記表示スクリーンが前記暗化画像の表示を終了して前記隠し待ち対象を表示するように制御する。例えば、図２Ｆに示すように、本実施例での検出領域は、表示スクリーン中の全領域であり、タッチ制御イベントは、クリックイベントであり、ユーザが表示スクリーン中の右上場所をクリックすると、前記表示スクリーンが前記暗化画像の表示を終了するように制御するため、オリジナルロック画面が暗化画像によって被覆されなくなり、隠し待ち対象が可視状態になり、ユーザが表示スクリーン上に他の常用情報を便利で迅速に検索でき、ユーザ体験が向上する。
【００７９】
上記実施例より分かるように、本実施例では、所定の暗化画像を前記表示スクリーンに表示されたオリジナルロック画面の上層に重畳表示するため、前記隠し待ち対象を暗化し、通知メッセージを前記暗化画像の上層に重畳表示可能である。このようなディスプレイ形態は、通知メッセージをハイライト表示可能であり、表示スクリーンにディスプレイされたコンテンツが読みやすくなり、ユーザが表示スクリーンを見るときに通知メッセージに素早くフォーカス可能であり、ユーザ体験が向上する。
【００８０】
図３Ａに示すように、図３Ａは、一実施例による別の情報ディスプレイ方法を示すフローチャートであり、当該方法は、端末に適用可能であり、当該方法は、上記実施例に加えて、前記表示スクリーンが画面ＯＦＦ状態から画面ＯＮ状態に切り替わったとき、前記表示スクリーン上において隠し待ち対象を暗化処理して前記通知メッセージをディスプレイする処理手順を記述し、以下のステップを含む。
【００８１】
ステップ３０１では、前記表示スクリーンにおける第１の画素点をパワーオン状態にして、前記通知メッセージを表示するように制御する。
【００８２】
ただし、第１の画素点は、前記通知メッセージの表示領域に対応する画素点である。
【００８３】
ステップ３０２では、前記表示スクリーンにおける第２の画素点をパワーオフ状態にして前記隠し待ち対象を暗化するように制御する。
【００８４】
ただし、第２の画素点は、前記隠し待ち対象の表示領域に対応する画素点である。
【００８５】
ステップ３０３では、前記表示スクリーンにおける所定の検出領域にタッチ制御イベントが発生したかどうかを検出する。
【００８６】
ただし、検出領域は、前記表示スクリーンにおける任意領域である。
【００８７】
ステップ３０４では、前記検出領域にタッチ制御イベントが発生したと検出されると、前記第２の画素点をパワーオフ状態からパワーオン状態に切り替えて前記隠し待ち対象を表示するように制御する。
【００８８】
本実施例は、端末のオペレーティングシステムのハードウェア層に上記処理手順を実現可能であり、ＯＬＥＤ等の多種の表示スクリーンに適用する。ＯＬＥＤの基本構造としては、薄くて半導体特性を有する透明なインジウムスズ酸化物が電力のアノードに接続され、別の金属カソードに接続される。全構造層には、正孔伝送層、発光層および電子伝送層が含まれる。電力が適当な電圧に供給されると、アノード正孔とカソード電荷は、発光層で結合して光を発生する。レシピーの相違に応じて、赤、緑と青というＲＧＢ三原色を生成して、基本的なカラーを構成する。
【００８９】
本実施例では、通知メッセージの表示領域、つまり、表示スクリーン上での通知メッセージのディスプレイ位置を取得する。前記第１の画素点とは、通知メッセージの表示領域に対応する画素点を指す。通知メッセージの表示領域に対応する画素点についてパワーオンするとき、画素点が点灯して、表示スクリーン上で通知メッセージをディスプレイする。その一方、第２の画素点、即ち、前記隠し待ち対象の表示領域に対応する画素点について、パワーオフ状態に制御して、隠し待ち対象を暗化する。
【００９０】
例えば、図３Ｂに示すように、図３Ｂは、本開示によるＯＬＥＤ表示スクリーンおよびその一部を拡大する模式図であり、当該表示スクリーンでは、複数の画素点が含まれ、画素点をパワーオン状態に制御するとき、画素点が点灯して、端末インターフェースの表示を達成する一方、画素点をパワーオフ状態に制御するとき、画素点が消滅する。図３Ｃに示すように、本開示の第１の画素点をパワーオン状態に制御する模式図であり、通知メッセージの表示領域に応じて、表示領域に対応する画素点をパワーオンして、第１の画素点がパワーオン状態になるため、通知メッセージをディスプレイする効果が達成する。その表示効果図３Ｄに示すように、本開示の表示スクリーンにおいて通知メッセージをディスプレイする模式図である。
【００９１】
表示スクリーンに通知メッセージのみが表示されたため、本実施例では、ユーザが隠し待ち対象を閲覧する必要が生じるとき、隠し待ち対象を表示してユーザに閲覧させることができる。実施時、表示スクリーンに検出領域を予め設定してもよく、前記検出領域は、前記表示スクリーンにおける任意の領域、例えば、表示スクリーンの全領域、または、表示スクリーンの中部領域等であってもよい。前記タッチ制御イベントは、クリックイベント、ダブルクリックイベント、スライドイベント等であってもよい。上記検出領域およびタッチ制御イベントは、当業者が必要に応じて柔軟に選択可能であり、本開示の実施例は、それについて限定しない。
【００９２】
検出領域にタッチ制御イベントが発生したと検出されると、前記表示スクリーンが前記暗化画像の表示を終了して前記隠し待ち対象を表示するように制御する。例えば、図３Ｄに示すように、本実施例での検出領域は、表示スクリーンにおける通知メッセージの表示領域以外の全領域であり、タッチ制御イベントは、クリックイベントであり、ユーザが表示スクリーン中の右下場所をクリックすると、前記第２の画素点をパワーオフ状態からパワーオン状態に切り替えて前記隠し待ち対象を表示するように制御する。その際、隠し待ち対象が可視状態であり、ユーザが表示スクリーン上に他の常用情報を便利で迅速に検索でき、ユーザ体験が向上する。
【００９３】
上記実施例より分かるように、表示スクリーン上における画素点について、通知メッセージのディスプレイ時、通知メッセージの表示領域に対応する画素点をパワーオン状態にして、隠し待ち対象の表示領域に対応する画素点をパワーオフ状態にするように制御するため、通知メッセージを表示スクリーン上にハイライト表示可能であり、表示スクリーンにディスプレイされたコンテンツが読みやすくなり、ユーザが当該通知メッセージに素早くフォーカスし、表示スクリーンのディスプレイ効果がより良好になる。さらに、第１の画素点のみをパワーオン状態に制御し、第２の画素点をパワーオフ状態に制御するため、端末の消費電力も低減可能である。
【００９４】
図４に示すように、図４は、本開示の一実施例による情報ディスプレイ装置を示すブロック図であり、前記装置は、受信モジュール４１０と、ディスプレイモジュール４２０とを備える。
【００９５】
受信モジュール４１０は、表示スクリーンが画面ＯＦＦ状態であるとき、ディスプレイ待ちの通知メッセージを受信するように構成される。
【００９６】
ディスプレイモジュール４２０は、前記表示スクリーンが画面ＯＦＦ状態から画面ＯＮ状態に切り替わったとき、前記表示スクリーン上において隠し待ち対象を暗化処理し、前記受信モジュール４１０で受信された通知メッセージをディスプレイするように構成される。
【００９７】
ただし、隠し待ち対象は、表示スクリーン上に表示された前記通知メッセージ以外の全部あるいは一部の表示コンテンツを含む。
【００９８】
上記実施例より分かるように、表示スクリーンが画面ＯＦＦ状態でディスプレイ待ちの通知メッセージを受信すると、表示スクリーンは、画面ＯＮ状態に入り、前記通知メッセージをディスプレイする一方、表示スクリーン上に表示された前記通知メッセージ以外の全部あるいは一部の表示コンテンツを暗化処理するため、本開示は、表示スクリーン上において通知メッセージをハイライト表示可能であり、表示スクリーンにおけるディスプレイコンテンツが読みやすくなり、ユーザが当該通知メッセージに素早くフォーカスし、表示スクリーンのディスプレイ効果がより良好になり、ユーザ体験が良くなる。
【００９９】
図５に示すように、図５は、本開示の一実施例による別の情報ディスプレイ装置を示すブロック図であり、当該実施例は、上記図４に示す実施例に加えて、前記ディスプレイモジュール４２０が第１の表示サブモジュール４２１と第２の表示サブモジュール４２２とを備える。
【０１００】
第１の表示サブモジュール４２１は、所定の暗化画像を、前記表示スクリーンに表示されたオリジナルロック画面の上層に重畳し表示して、前記隠し待ち対象を暗化するように構成される。
【０１０１】
ただし、オリジナルロック画面は、表示スクリーンが画面ＯＦＦ状態から画面ＯＮ状態に切り替わる際における所定の表示インターフェースであり、暗化画像は、前記オリジナルロック画面の全体を被覆し得る画像、または前記隠し待ち対象を被覆する画像であり、暗化画像の透明度は、所定の閾値より小さい。
【０１０２】
第２の表示サブモジュール４２２は、前記暗化画像が前記オリジナルロック画面の全体を被覆し得る画像であるとき、前記通知メッセージを第１の表示サブモジュール４２１によって表示された暗化画像の上層に重畳表示するように構成される。
【０１０３】
第２の表示サブモジュール４２２は、前記暗化画像が前記隠し待ち対象を被覆する画像であるとき、前記通知メッセージを表示スクリーン上に表示するように構成される。
【０１０４】
説明必要なことは、実施例の図４で記述された装置では、暗化画像を前記オリジナルロック画面の全体を被覆し得る画像にする例を記述する。即ち、第１の表示サブモジュール４２１と第２の表示サブモジュール４２２とに接続関係が存在することを示す。
【０１０５】
上記実施例より分かるように、本開示では、暗化画像が前記オリジナルロック画面の全体を被覆し得る画像、または前記隠し待ち対象を被覆する画像であり、暗化画像の透明度が所定の閾値より小さいため、暗化画像により隠し待ち対象を被覆することで、隠し待ち対象を暗化する目的が達成可能であり、さらに通知メッセージを有効にハイライト表示し、表示スクリーンにディスプレイされたコンテンツが読みやすくなり、ユーザが表示スクリーンを見るときに通知メッセージに素早くフォーカス可能であり、ユーザ体験が向上する。
【０１０６】
図６に示すように、図６は、本開示の一実施例による別の情報ディスプレイ装置を示すブロック図であり、当該実施例は、上記図４に示す実施例に加えて、前記ディスプレイモジュール４２０が第１の検出サブモジュール４２３と第１の制御サブモジュール４２４とをさらに備えてもよい。
【０１０７】
ただし、第１の検出サブモジュール４２３は、前記表示スクリーンにおける所定の検出領域にタッチ制御イベントが発生したかどうかを検出するように構成される。
【０１０８】
ただし、検出領域は、前記表示スクリーンにおける任意領域である。
【０１０９】
第１の制御サブモジュール４２４は、前記検出領域にタッチ制御イベントが発生したと第１の検出サブモジュール４２３によって検出されたとき、前記表示スクリーンが前記暗化画像の表示を終了して前記オリジナルロック画面を表示するように制御するように構成される。
【０１１０】
上記実施例より分かるように、表示スクリーンにおける所定の検出領域にタッチ制御イベントが発生したとき、前記表示スクリーンが前記暗化画像の表示を終了して前記オリジナルロック画面を表示するように制御するため、隠し待ち対象が暗化状態でなくなり、表示スクリーン上で他の表示コンテンツを表示可能であり、ユーザが表示スクリーン上に他の常用情報を便利で迅速に検索でき、ユーザ体験が向上する。
【０１１１】
図７に示すように、図７は、本開示の一実施例による別の情報ディスプレイ装置を示すブロック図であり、当該実施例は、上記図４に示す実施例に加えて、前記ディスプレイモジュール４２０が第２の制御サブモジュール４２５と、第３の制御サブモジュール４２６とをさらに備えてもよい。
【０１１２】
第２の制御サブモジュール４２５は、前記表示スクリーンにおける第１の画素点をパワーオン状態にして前記通知メッセージを表示するように制御するように構成される。
【０１１３】
ただし、第１の画素点は、前記通知メッセージの表示領域に対応する画素点である。
【０１１４】
第３の制御サブモジュール４２６は、前記表示スクリーンにおける第２の画素点の全部あるいは一部をパワーオフ状態にして前記隠し待ち対象を暗化するように制御するように構成される。
【０１１５】
ただし、第２の画素点は、前記隠し待ち対象の表示領域に対応する画素点である。
【０１１６】
上記実施例より分かるように、表示スクリーン上における画素点について、通知メッセージのディスプレイ時、通知メッセージの表示領域に対応する画素点をパワーオン状態にして、隠し待ち対象の表示領域に対応する画素点をパワーオフ状態にするように制御するため、通知メッセージを表示スクリーン上にハイライト表示可能であり、表示スクリーンにディスプレイされたコンテンツが読みやすくなり、ユーザが当該通知メッセージに素早くフォーカスし、表示スクリーンのディスプレイ効果がより良好になる。さらに、第１の画素点のみをパワーオン状態に制御し、第２の画素点をパワーオフ状態に制御するため、端末の消費電力も低減可能である。
【０１１７】
図８に示すように、図８は、本開示の一実施例による別の情報ディスプレイ装置を示すブロック図であり、当該実施例は、上記図４に示す実施例に加えて、前記ディスプレイモジュール４２０が第２の検出サブモジュール４２７と第４の制御サブモジュール４２８とをさらに備える。
【０１１８】
第２の検出サブモジュール４２７は、前記表示スクリーンにおける所定の検出領域にタッチ制御イベントが発生したかどうかを検出するように構成される。
【０１１９】
ただし、検出領域は、前記表示スクリーンにおける任意領域である。
【０１２０】
第４の制御サブモジュール４２８、前記検出領域にタッチ制御イベントが発生したと前記第２の検出サブモジュール４２７によって検出されたとき、前記第２の画素点をパワーオフ状態からパワーオン状態に切り替えて前記隠し待ち対象を表示するように制御するように構成される。
【０１２１】
上記実施例より分かるように、表示スクリーンにおける所定の検出領域にタッチ制御イベントが発生したとき、パワーオフ状態にある第２の画素点をパワーオン状態にして前記隠し待ち対象を表示するため、隠し待ち対象が暗化状態でなくなり、表示スクリーン上で他の表示コンテンツを表示可能であり、ユーザが表示スクリーン上に他の常用情報を便利で迅速に検索でき、ユーザ体験が向上する。
【０１２２】
図９に示すように、図９は、本開示の一実施例による別の情報ディスプレイ装置を示すブロック図であり、当該実施例は、上記図４に示す実施例に加えて、前記ディスプレイモジュール４２０が特定サブモジュール４２９とディスプレイサブモジュール４２１０とを備えてもよい。
【０１２３】
特定サブモジュール４２９は、複数の前記通知メッセージが受信されると、各前記通知メッセージの優先度に基づいて各前記通知メッセージに対応するディスプレイ形態を特定するように構成される。
【０１２４】
ただし、異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含む。
【０１２５】
ディスプレイサブモジュール４２１０は、前記通知メッセージに対応する前記ディスプレイ形態に基づいて前記通知メッセージを前記表示スクリーン上に表示するように構成される。
【０１２６】
上記実施例より分かるように、本開示では、各前記通知メッセージの優先度に基づいて各前記通知メッセージに対応するディスプレイ形態を特定し、異なる優先度にある通知メッセージに対応するディスプレイ形態が同じであってもよいし、異なってもよく、ディスプレイ順、輝度値、フォント、文字サイズ、色値のうちのいずれか１つあるいは複数のディスプレイ形態により通知メッセージをディスプレイしてもよく、通知メッセージのディスプレイ形態がより豊富になり、ユーザ体験が向上する。
【０１２７】
それ相応に、本開示は、情報ディスプレイ装置を提供する。前記装置は、プロセッサと、プロセッサの実行可能な指令を記憶するためのメモリとを備え、前記プロセッサは、表示スクリーンが画面ＯＦＦ状態であるとき、ディスプレイ待ちの通知メッセージを受信し、前記表示スクリーンが画面ＯＦＦ状態から画面ＯＮ状態に切り替わったとき、前記表示スクリーン上において隠し待ち対象を暗化処理し、前記通知メッセージをディスプレイするように構成される。ただし、隠し待ち対象は、表示スクリーン上に表示された前記通知メッセージ以外の全部あるいは一部の表示コンテンツを含む。
【０１２８】
上記装置における各モジュールの機能および作用の実現手順の詳細は、上記方法における対応するステップの実現手順を参照すればよいため、ここで繰り返し説明しない。
【０１２９】
装置実施例が基本的に方法実施例に対応するため、関連箇所は、方法実施例部分の説明を参照すればよい。以上に記載の装置実施例は、単なる模式的である。その中の分離部品として説明されたモジュールは、物理的に離間してもよいし、しなくてもよい。モジュールとして表示された部品は、物理モジュールであってもよいし、でなくてもよい。即ち、１箇所に位置してもよいし、複数のネットワークモジュールに分散してもよい。実際の必要に応じて、その中の一部または全部のモジュールを選択して本開示の目的を達成してもよい。当業者は、進歩性に値する労働をせずに、理解し実施可能である。
【０１３０】
図１０に示すように、図１０は、本開示の一実施例による情報ディスプレイ装置１０００のためのブロック図である。例えば、装置１０００は、ルーティング機能を有する携帯電話、コンピュータ、デジタル放送端末、メッセージ送受信機器、ゲームコンソール、タブレットデバイス、医療設備、フィットネス機器、ＰＤＡなどであってもよい。
【０１３１】
図１０を参照すると、装置１０００は、以下の１つ又は複数のユニット、すなわち、処理ユニット１００２、メモリ１００４、電源ユニット１００６、マルチメディアユニット１００８、オーディオユニット１０１０、入力/出力（Ｉ/Ｏ）インターフェース１０１２、センサユニット１０１４及び通信ユニット１０１６を備えてもよい。
【０１３２】
処理ユニット１００２は、通常、装置１０００の全般操作、例えば、表示、電話発呼、データ通信、カメラ操作及び記録操作に関連する操作を制御する。処理ユニット１００２は、前記方法のステップの全部又は一部を実行するように、指令を実行する１つ又は複数のプロセッサ１０２０を備えてもよい。また、処理ユニット１００２は、処理ユニット１００２と他のユニットとの間の相互作用を容易にするように、１つ又は複数のモジュールを備えてもよい。例えば、処理ユニット１００２は、マルチメディアユニット１００８と処理ユニット１００２との間の相互作用を容易にするように、マルチメディアモジュールを備えてもよい。
【０１３３】
メモリ１００４は、装置１０００での操作をサポートするために、各種別のデータを記憶するように構成される。これらのデータの例示は、装置１０００で操作する如何なるアプリケーションプログラムまたは方法の指令、連絡人データ、電話帳データ、メッセージ、ピクチャ、映像などを含む。メモリ１００４は、如何なる種別の揮発性もしくは不揮発性記憶デバイスまたはそれらの組合せ、例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【０１３４】
電源ユニット１００６は、装置１０００のユニットのそれぞれに電力を供給する。電源ユニット１００６は、電源管理システム、１つまたは複数の電源、並びに、装置１０００用の電力を生成、管理および配分するに関する他のユニットを含んでもよい。
【０１３５】
マルチメディアユニット１００８は、前記装置１０００とユーザとの間に1つの出力インターフェースを供給するスクリーンを備える。一部の実施例では、スクリーンは、液晶ディスプレイ（ＬＣＤ）およびタッチパネル（ＴＰ）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット１００８は、１つのフロントカメラおよび/またはバックカメラを含む。装置１０００が操作モード、例えば、撮像モードまたは映像モードにあるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１３６】
オーディオユニット１０１０は、オーディオ信号を出力および/または入力するように構成される。例えば、オーディオユニット１０１０は、マイク（ＭＩＣ）を備え、装置１０００が操作モード、例えば、発呼モード、記録モードおよび音声識別モードにあるとき、マイクは、外部オーディオ信号を受信するように構成される。受信されたオーディオ信号は、さらに、メモリ１００４に記憶される、または、通信ユニット１０１６を介して送信されることができる。一部の実施例では、オーディオユニット１０１０は、さらに、オーディオ信号を出力するためのスピーカをさらに含む。
【０１３７】
Ｉ/Ｏインターフェース１０１２は、処理ユニット１００２とペリフェラルインターフェースモジュールとの間でインターフェースを供給するものであり、前記ペリフェラルインターフェースモジュールは、キーボード、クリックホイール、ボタンなどであってもよい。これらのボタンは、ホームページボタン、ボリュームボタン、起動ボタンおよびロックボタンを含んでも良いが、それらに限定されない。
【０１３８】
センサユニット１０１４は、いろんな方面での状態推定を装置１０００に供給するための１つまたは複数のセンサを含む。例えば、センサユニット１０１４は、装置１０００のオン/オフ状態、ユニットの相対位置を検出することができ、例えば、前記ユニットは、装置１０００のディスプレイおよびキーパッドである。センサユニット１０１４は、さらに、装置１０００もしくは装置１０００の１つのユニットの位置変更、ユーザと装置１０００との接触の存在もしくは不存在、装置１０００の方位または加速/減速および装置１０００の温度変化をさらに検出することができる。センサユニット１０１４は、如何なる物理的接触もないとき、近辺にある物体の存在を検出するための近接センサを含んでもよい。センサユニット１０１４は、さらに、イメージングアプリケーションに使用される光センサ、例えばＣＭＯＳまたはＣＣＤ画像センサを含んでも良い。一部の実施例では、当該センサユニット１０１４は、さらに、加速度センサ、ジャイロセンサ、磁気センサ、圧力センサ、マイクロ波センサまたは温度センサを含んでも良い。
【０１３９】
通信ユニット１０１６は、装置１０００と他の機器間の無線または有線方式の通信が便利になるように構成される。装置１０００は、通信規格に基づく無線ネットワーク、例えば、ＷｉＦｉ、２Ｇもしくは３Ｇ、またはそれらの組合せにアクセスすることができる。ある実施例では、通信ユニット１０１６は、外部ブロードキャスト管理システムからのブロードキャスト信号またはブロードキャスト関連情報をブロードキャストチャネルを介して受信する。ある実施例では、前記通信ユニット１０１６は、さらに、短距離通信を容易にするように、ニアフィールド通信（ＮＦＣ）モジュールを含んでも良い。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１４０】
実施例では、装置１０００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１４１】
実施例では、指令を含む非一時的コンピュータ読み取り可能な記憶媒体、例えば、指令を含むメモリ１００４をさらに提供し、上記指令が装置１０００のプロセッサ１０２０によって実行されることで上述した方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであっても良い。
【０１４２】
非一時的コンピュータ読み取り可能な記憶媒体を提供する。前記記憶媒体における指令が端末のプロセッサによって実行されるとき、端末が情報ディスプレイ方法を実行可能である。前記方法は、
表示スクリーンが画面ＯＦＦ状態であるとき、ディスプレイ待ちの通知メッセージを受信するステップと、
前記表示スクリーンが画面ＯＦＦ状態から画面ＯＮ状態に切り替わったとき、前記表示スクリーン上において隠し待ち対象を暗化処理し、前記通知メッセージをディスプレイするステップと、を含み、
ただし、隠し待ち対象は、表示スクリーン上に表示された前記通知メッセージ以外の全部あるいは一部の表示コンテンツを含む。
【０１４３】
当業者は明細書を考慮し、ここに公開された開示を実践した後、本開示の他の実施案を容易に想到する。本願は、本開示の如何なる変形、用途または適応的変化もカバーすることを意図する。これらの変形、用途または適応的変化は、本開示の一般的な仕組みに従い、かつ、本開示に開示されていない当分野における公知常識または慣用技術手段を含む。明細書および実施例は単なる例示と見なされ、本開示の本当の範囲および思想は添付の特許請求の範囲によって与えられる。
【０１４４】
本開示が以上で記述されて図面に示された正確な構造に限定されるものでなく、その要旨を逸脱しない範囲で様々な補正や変更も可能であることは理解されるべきである。本開示の範囲は、添付する特許請求の範囲のみによって限定される。
【０１４５】
上述したのは、本開示の好適な実施例に過ぎず、本開示を制限するためのものではない。本開示の思想および要旨内でなされた如何なる補正、同等置換、改良等も、本開示の保護範囲内に含まれる。
【図１Ａ】
2017526016.tif 000003
【図１Ｂ】
2017526016.tif 000004
【図１Ｃ】
2017526016.tif 000005
【図１Ｄ】
2017526016.tif 000006
【図１Ｅ】
2017526016.tif 000007
【図２Ａ】
2017526016.tif 000008
【図２Ｂ】
2017526016.tif 000009
【図２Ｃ】
2017526016.tif 000010
【図２Ｄ】
2017526016.tif 000011
【図２Ｅ】
2017526016.tif 000012
【図２Ｆ】
2017526016.tif 000013
【図３Ａ】
2017526016.tif 000014
【図３Ｂ】
2017526016.tif 000015
【図３Ｃ】
2017526016.tif 000016
【図３Ｄ】
2017526016.tif 000017
【図４】
2017526016.tif 000018
【図５】
2017526016.tif 000019
【図６】
2017526016.tif 000020
【図７】
2017526016.tif 000021
【図８】
2017526016.tif 000022
【図９】
2017526016.tif 000023
【図１０】
2017526016.tif 000024
【手続補正書】
【提出日】平成28年1月18日(2016.1.18)
【手続補正１】
【補正対象書類名】明細書
【補正対象項目名】全文
【補正方法】変更
【補正の内容】
【発明の詳細な説明】
【相互参照】
【０００１】
本発明は、出願番号が２０１５１０３６９８６４.５であり、出願日が２０１５年０６月２９日である中国特許出願を基に提出するものであり、当該中国特許出願の優先権を主張し、当該中国特許出願の全てのコンテンツは、参照のため本願に援用される。
【技術分野】
【０００２】
本開示は、通信技術分野に関し、特に、情報ディスプレイ方法、装置、プログラムおよび記録媒体に関する。
【背景技術】
【０００３】
端末技術の発展につれて、ユーザの様々なニーズに応えるように、ますます多くなる新機能がスマート端末に搭載されている。画面ロック状態での端末の表示インターフェースは、ユーザが端末のシステムと接触する最もよく見られるインターフェースの１つである。関連技術では、端末の表示スクリーンが画面ＯＦＦ状態において通知メッセージをディスプレイする必要が生じるとき、表示スクリーンは、画面ＯＦＦ状態から画面ＯＮ状態に切り替わり、天気、日付、状態情報および上記通知メッセージ等のコンテンツをディスプレイする。
【発明の概要】
【発明が解決しようとする課題】
【０００４】
関連技術に存在する問題を克服するために、本開示は、情報ディスプレイ方法、装置、プログラムおよび記録媒体を提供する。
【課題を解決するための手段】
【０００５】
本開示の実施例の第１の態様によれば、情報ディスプレイ方法を提供する。前記方法は、
表示スクリーンが画面ＯＦＦ状態であるとき、ディスプレイ待ちの通知メッセージを受信するステップと、
前記表示スクリーンが画面ＯＦＦ状態から画面ＯＮ状態に切り替わったとき、前記表示スクリーン上において隠し待ち対象を暗化処理し、前記通知メッセージをディスプレイするステップと、を含み、前記隠し待ち対象は、前記表示スクリーン上に表示された前記通知メッセージ以外の全部あるいは一部の表示コンテンツを含む。
【０００６】
好ましくは、前記前記表示スクリーン上において隠し待ち対象を暗化処理し、前記通知メッセージをディスプレイするステップは、
前記オリジナルロック画面の全体を被覆し得る画像である、あるいは、前記隠し待ち対象を被覆する画像である所定の暗化画像を、前記表示スクリーンに表示されたオリジナルロック画面の上層に重畳し表示して、前記隠し待ち対象を暗化するステップと、
前記暗化画像が前記オリジナルロック画面の全体を被覆し得る画像であるとき、前記通知メッセージを前記暗化画像の上層に重畳し表示するステップ、または、
前記暗化画像が前記隠し待ち対象を被覆する画像であるとき、前記通知メッセージを前記表示スクリーン上に表示するステップと、を含み、
前記オリジナルロック画面は、表示スクリーンが画面ＯＦＦ状態から画面ＯＮ状態に切り替わる際における所定の表示インターフェースであり、前記暗化画像の透明度は、所定の閾値よりも小さい。
【０００７】
好ましくは、前記方法は、
前記表示スクリーンにおける所定の検出領域に、タッチ制御イベントが発生したかどうかを検出するステップと、
前記検出領域にタッチ制御イベントが発生したと検出されると、前記表示スクリーンが前記暗化画像の表示を終了して前記隠し待ち対象を表示するように制御するステップと、をさらに含み、前記検出領域は、前記表示スクリーンにおける任意の領域である。
【０００８】
好ましくは、前記前記表示スクリーンが画面ＯＦＦ状態から画面ＯＮ状態に切り替わったとき、前記表示スクリーン上において隠し待ち対象を暗化処理し、前記通知メッセージをディスプレイするステップは、
前記表示スクリーンにおける第１の画素点をパワーオン状態にして、前記通知メッセージを表示するように制御するステップと、
前記表示スクリーンにおける第２の画素点をパワーオフ状態にして、前記隠し待ち対象を暗化するステップと、を含み、前記第１の画素点は、前記通知メッセージの表示領域に対応する画素点であり、前記第２の画素点は、前記隠し待ち対象の表示領域に対応する画素点である。
【０００９】
好ましくは、前記方法は、
前記表示スクリーンにおける所定の検出領域に、タッチ制御イベントが発生したかどうかを検出するステップと、
前記検出領域にタッチ制御イベントが発生したと検出されると、前記第２の画素点をパワーオフ状態からパワーオン状態に切り替えて前記隠し待ち対象を表示するように制御するステップとを、さらに含み、前記検出領域は、前記表示スクリーンにおける任意の領域である。
【００１０】
好ましくは、前記通知メッセージを前記表示スクリーン上に表示するステップは、
複数の前記通知メッセージが受信されると、各前記通知メッセージの優先度に基づいて各前記通知メッセージに対応するディスプレイ形態を特定するステップと、
前記通知メッセージに対応する前記ディスプレイ形態に基づいて前記通知メッセージを前記表示スクリーン上に表示するステップと、を含み、異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含む。
【００１１】
本開示の実施例の第２の態様によれば、情報ディスプレイ装置を提供する。前記装置は、
表示スクリーンが画面ＯＦＦ状態であるとき、ディスプレイ待ちの通知メッセージを受信するための受信モジュールと、
前記表示スクリーンが画面ＯＦＦ状態から画面ＯＮ状態に切り替わったとき、前記表示スクリーン上において隠し待ち対象を暗化処理し、前記通知メッセージをディスプレイするためのディスプレイモジュールと、を備え、前記隠し待ち対象は、前記表示スクリーン上に表示された前記通知メッセージ以外の全部あるいは一部の表示コンテンツを含む。
【００１２】
好ましくは、前記ディスプレイモジュールは、
前記オリジナルロック画面の全体を被覆し得る画像である、あるいは、前記隠し待ち対象を被覆する画像である所定の暗化画像を、前記表示スクリーンに表示されたオリジナルロック画面の上層に重畳し表示して、前記隠し待ち対象を暗化するための第１の表示サブモジュールと、
前記暗化画像が前記オリジナルロック画面の全体を被覆し得る画像であるとき、前記通知メッセージを前記暗化画像の上層に重畳し表示するための第２の表示サブモジュール、または、
前記暗化画像が前記隠し待ち対象を被覆する画像であるとき、前記通知メッセージを前記表示スクリーン上に表示するための第２の表示サブモジュールと、を備え、前記オリジナルロック画面は、表示スクリーンが画面ＯＦＦ状態から画面ＯＮ状態に切り替わる際における所定の表示インターフェースであり、前記暗化画像の透明度は、所定の閾値よりも小さい。
【００１３】
好ましくは、前記ディスプレイモジュールは、
前記表示スクリーンにおける所定の検出領域に、タッチ制御イベントが発生したかどうかを検出するための第１の検出サブモジュールと、
前記検出領域にタッチ制御イベントが発生したと検出されると、前記表示スクリーンが前記暗化画像の表示を終了して前記オリジナルロック画面を表示するように制御するための第１の制御サブモジュールと、をさらに備え、前記検出領域は、前記表示スクリーンにおける任意の領域である。
【００１４】
好ましくは、前記ディスプレイモジュールは、
前記表示スクリーンにおける第１の画素点をパワーオン状態にして、前記通知メッセージを表示するように制御するための第２の制御サブモジュールと、
前記表示スクリーンにおける第２の画素点の全部あるいは一部をパワーオフ状態にして前記隠し待ち対象を暗化するように制御するための第３の制御サブモジュールと、を備え、前記第１の画素点は、前記通知メッセージの表示領域に対応する画素点であり、前記第２の画素点は、前記隠し待ち対象の表示領域に対応する画素点である。
【００１５】
好ましくは、前記ディスプレイモジュールは、
前記表示スクリーンにおける所定の検出領域に、タッチ制御イベントが発生したかどうかを検出するための第２の検出サブモジュールと、
前記検出領域にタッチ制御イベントが発生したと検出されると、前記第２の画素点をパワーオフ状態からパワーオン状態に切り替えて前記隠し待ち対象を表示するように制御するための第４の制御サブモジュールと、をさらに備え、前記検出領域は、前記表示スクリーンにおける任意の領域である。
【００１６】
好ましくは、前記ディスプレイモジュールは、
複数の前記通知メッセージが受信されると、各前記通知メッセージの優先度に基づいて各前記通知メッセージに対応するディスプレイ形態を特定するための特定サブモジュールと、
前記通知メッセージに対応する前記ディスプレイ形態に基づいて前記通知メッセージを前記表示スクリーン上に表示するためのディスプレイサブモジュールと、を備え、異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含む。
【００１７】
本開示の実施例の第３の態様によれば、情報ディスプレイ装置を提供する。前記装置は、
プロセッサと、
プロセッサの実行可能な指令を記憶するためのメモリと、を備え、
前記プロセッサは、
表示スクリーンが画面ＯＦＦ状態であるとき、ディスプレイ待ちの通知メッセージを受信し、
前記表示スクリーンが画面ＯＦＦ状態から画面ＯＮ状態に切り替わったとき、前記表示スクリーン上において隠し待ち対象を暗化処理し、前記通知メッセージをディスプレイするように構成され、前記隠し待ち対象は、前記表示スクリーン上に表示された前記通知メッセージ以外の全部あるいは一部の表示コンテンツを含む。
本開示の実施例の第４の態様によれば、プロセッサに実行されることにより、本開示の実施例の第１の態様に記載の情報ディスプレイ方法を実現するプログラムを提供する。
本開示の実施例の第５の態様によれば、本開示の実施例の第４の態様に記載のプログラムが記録された記録媒体を提供する。
【発明の効果】
【００１８】
本開示の実施例による技術案は、以下の格別な作用効果を含むことができる。
【００１９】
本開示では、表示スクリーンが画面ＯＦＦ状態でディスプレイ待ちの通知メッセージを受信すると、表示スクリーンは、画面ＯＮ状態に入り、前記通知メッセージをディスプレイする一方、表示スクリーン上に表示された前記通知メッセージ以外の全部あるいは一部の表示コンテンツを暗化処理する。したがって、本開示によれば、表示スクリーン上おいて隠し待ち対象を暗化し、通知メッセージをハイライト表示可能であるため、表示スクリーンにおけるディスプレイコンテンツを読みやすくなり、ユーザが当該通知メッセージに素早くフォーカスし、表示スクリーンのディスプレイ効果がより良好になり、ユーザ体験が良くなる。
【００２０】
本開示での暗化画像が前記オリジナルロック画面の全体を被覆し得る画像、または前記隠し待ち対象を被覆する画像であり、暗化画像の透明度が所定の閾値より小さいため、暗化画像により隠し待ち対象を被覆することで、隠し待ち対象を暗化する目的が達成可能であり、さらに通知メッセージを有効にハイライト表示し、表示スクリーンにディスプレイされたコンテンツが読みやすくなり、ユーザが表示スクリーンを見るときに通知メッセージに素早くフォーカス可能であり、ユーザ体験が向上する。
【００２１】
本開示では、表示スクリーンにおける所定の検出領域にタッチ制御イベントが発生したとき、前記表示スクリーンが前記暗化画像の表示を終了して隠し待ち対象を表示するように制御するため、隠し待ち対象が暗化状態でなくなり、表示スクリーン上で他の表示コンテンツを表示可能であり、ユーザが表示スクリーン上に他の常用情報を便利で迅速に検索でき、ユーザ体験が向上する。
【００２２】
本開示では、表示スクリーン上における画素点について、通知メッセージのディスプレイ時、通知メッセージの表示領域に対応する画素点をパワーオン状態にして、隠し待ち対象の表示領域に対応する画素点をパワーオフ状態にするように制御するため、通知メッセージを表示スクリーン上にハイライト表示可能であり、表示スクリーンにディスプレイされたコンテンツが読みやすくなり、ユーザが当該通知メッセージに素早くフォーカスし、表示スクリーンのディスプレイ効果がより良好になる。さらに、第１の画素点のみをパワーオン状態に制御し、第２の画素点をパワーオフ状態に制御するため、端末の消費電力も低減可能である。
【００２３】
本開示では、表示スクリーンにおける所定の検出領域にタッチ制御イベントが発生したとき、パワーオフ状態にある第２の画素点をパワーオン状態にして前記隠し待ち対象を表示するため、隠し待ち対象が暗化状態でなくなり、表示スクリーン上で他の表示コンテンツを表示可能であり、ユーザが表示スクリーン上に他の常用情報を便利で迅速に検索でき、ユーザ体験が向上する。
【００２４】
本開示では、各前記通知メッセージの優先度に基づいて各前記通知メッセージに対応するディスプレイ形態を特定し、異なる優先度にある通知メッセージに対応するディスプレイ形態は、同じであってもよいし、異なってもよく、ディスプレイ順、輝度値、フォント、文字サイズ、色値のうちのいずれか１つあるいは複数のディスプレイ形態により通知メッセージをディスプレイしてもよく、通知メッセージのディスプレイ形態がより豊富になり、ユーザ体験が向上する。
【００２５】
上述した一般的な記述および後続の詳細な記述は、単に例示的および解釈的なものであり、本発明を制限できるものでないと理解されるべきである。
【図面の簡単な説明】
【００２６】
ここでの図面は、明細書を構成する一部として見なされ、本開示に適した実施例を示し、かつ、明細書の文字記載とともに本開示の仕組みを解釈するために用いられる。
【００２７】
【図１Ａ】本開示の一実施例による情報ディスプレイ方法を示すフローチャートである。
【図１Ｂ】本開示の一実施例による端末画面ＯＦＦ状態を示す模式図である。
【図１Ｃ】本開示の一実施例による端末が表示スクリーンにおいて通知メッセージをディスプレイする模式図である。
【図１Ｄ】本開示の一実施例による別の端末が表示スクリーンにおいて通知メッセージをディスプレイする模式図である。
【図１Ｅ】本開示の一実施例による別の端末が表示スクリーンにおいて通知メッセージをディスプレイする模式図である。
【図２Ａ】本開示の一実施例による別の情報ディスプレイ方法を示すフローチャートである。
【図２Ｂ】本開示の一実施例による一種表示スクリーン表示オリジナルロック画面の模式図である。
【図２Ｃ】本開示の一実施例による暗化画像を示す模式図である。
【図２Ｄ】本開示の一実施例による通知メッセージを示す模式図である。
【図２Ｅ】本開示の一実施例による通知メッセージ、暗化画像およびオリジナルロック画面を重畳して表示する模式図である。
【図２Ｆ】本開示の一実施例による表示スクリーンにおいて通知メッセージをディスプレイする模式図である。
【図３Ａ】本開示の一実施例による別の情報ディスプレイ方法を示すフローチャートである。
【図３Ｂ】本開示の一実施例によるＯＬＥＤ表示スクリーンおよびその一部を拡大する模式図である。
【図３Ｃ】本開示の一実施例による第１の画素点をパワーオン状態に制御する模式図である。
【図３Ｄ】本開示の一実施例による別の表示スクリーンにおいて通知メッセージをディスプレイする模式図である。
【図４】本開示の一実施例による情報ディスプレイ装置を示すブロック図である。
【図５】本開示の一実施例による別の情報ディスプレイ装置を示すブロック図である。
【図６】本開示の一実施例による別の情報ディスプレイ装置を示すブロック図である。
【図７】本開示の一実施例による別の情報ディスプレイ装置を示すブロック図である。
【図８】本開示の一実施例による別の情報ディスプレイ装置を示すブロック図である。
【図９】本開示の一実施例による別の情報ディスプレイ装置を示すブロック図である。
【図１０】本開示の一実施例による情報ディスプレイ装置のためのブロック図である。
【発明を実施するための形態】
【００２８】
次に、実施例を詳細に説明し、例示が図に示されている。以下の記述が図に係る場合、別途にて示さない限り、異なる図面における同じ符号は、同じまたは類似する要素を示す。以下の実施例に記述される実施形態は、本発明と一致する全ての実施形態を代表するとは限らない。逆に、それらは、添付の特許請求の範囲に記載されているように、本発明の一部の局面と一致する装置および方法の例に過ぎない。
【００２９】
本開示に記載の用語は、特定の実施例を説明する目的で使用されるものに過ぎず、本開示を限定するものではない。本開示及び添付する特許請求の範囲に記載の単数形式の「１種類」、「前記」及び「当該」は、前後の文章においてそれぞれ他の意味を含有すると明確に記載される以外には、複数の形式も含む。なお、本発明に記載の「及び／又は」は、挙げられる事項の1つ又は複数の何れ又は全ての組み合わせを意味する。
【００３０】
また、本開示は、第１、第２、第３等の用語を使って各種の情報を説明するが、それらの情報は上記用語に限定されない。それらの用語は、同一種類の情報同士を区分するためのものに過ぎない。例えば、本発明の範囲から逸脱しない状況で、第１の情報を第２の情報と称しても良い。同じように、第２の情報を第１の情報と称してもよい。ここで使っている用語「……場合」は、文脈の意味によって、「……時」或は「……と」又は「確定に応じる」に解釈されてもよい。
【００３１】
図１Ａに示すように、図１Ａは、一実施例による情報ディスプレイ方法を示すフローチャートであり、当該方法は、端末に適用可能であり、以下のステップを含む。
【００３２】
ステップ１０１では、表示スクリーンが画面ＯＦＦ状態であるとき、ディスプレイ待ちの通知メッセージを受信する。
【００３３】
ステップ１０２では、前記表示スクリーンが画面ＯＦＦ状態から画面ＯＮ状態に切り替わったとき、前記表示スクリーン上において隠し待ち対象を暗化処理し、前記通知メッセージをディスプレイする。
【００３４】
ただし、隠し待ち対象は、表示スクリーン上に表示された前記通知メッセージ以外の全部あるいは一部の表示コンテンツを含む。
【００３５】
本開示の実施例では、端末は、スマート端末、例えば、スマートフォン、タブレットＰＣ、ＰＤＡ（Ｐｅｒｓｏｎａｌ Ｄｉｇｉｔａｌ Ａｓｓｉｓｔａｎｔ、個人向け情報端末）、電子書籍リーダー、マルチメディアプレーヤーなどであってもよい。
【００３６】
本開示に供される実施例では、画面ＯＦＦ状態とは、端末の表示スクリーンにパワーオンせず、スクリーンが点灯していない状態を指す。画面ＯＦＦ状態において、端末がロック状態になる。通常、スマート端末は、ユーザから入力されたアンロック指令を受けてから始めて当該ロック状態を解除することができる。ユーザがパワーキーまたはホームキーをクリックするとき（その際、端末がアンロックしていない）、表示スクリーンは、パワーオンする。その際、表示スクリーンが画面ＯＮ状態になり、表示スクリーンに一般的に、システムで設定された対象、例えば、ウォールペーパー、天気ウィジェット、時間ウィジェット、ツールバーウィジェット、アプリケーション等を表示する。そして、表示スクリーンにおける各対象のインターフェースレイアウトおよび表示コンテンツも予め設定してもよい。例えば、表示スクリーンにおける文字表示のサイズや位置、各プラグインの表示方式および位置等であってもよい。具体的な実施例として、日付フォーマットは、年月日であってもよいし、日月年であってもよい。さらに、天気ウィジェットにおける温度の表示フォント、フォントサイズ、または天気アイコンの表示位置等を含んでもよい。
【００３７】
本開示に供される実施例では、ディスプレイ待ちの通知情報は、主にスマート端末が画面ＯＦＦ且つ画面ロックの状態において受信された情報である。通知情報は、スマート端末にインストールされたアプリケーションソフトで生成された情報であってもよい。例えば、ＳＭＳアプリケーションで生成されたショットメッセージ、社交アプリケーションで生成された即時通信情報、メールアプリケーションで生成された電子メール通知、および他の各アプリケーションで生成されたプッシュ情報等であってもよい。このような通知情報は、ロック状態での表示スクリーンに表示可能であり、通常、ユーザは、当該通知情報のディスプレイ形態を設定することができる。例えば、通知情報の受信後、表示スクリーンを点灯して表示スクリーンにおいて通知情報のコンテンツの全部を表示するか、あるいは、表示スクリーンを点灯して１つのプロファイルディスプレイを表示する等が可能である。前記ディスプレイ形態は、さらに、通知メッセージの表示スクリーンでのディスプレイ位置、フォントサイズ、または、フォント色等を含んでもよい。
【００３８】
端末が画面ＯＦＦ状態であるとき、表示スクリーンが点灯しておらず、図１Ｂに示すように、本開示の端末が画面ＯＦＦ状態である模式図である。表示待ちの通知情報が受信されると、端末の表示スクリーンがパワーオンして点灯し、当該通知情報を表示スクリーンに表示する。図１Ｃに示すように、本開示の端末が表示スクリーンにおいて通知メッセージをディスプレイする模式図である。図１Ｂおよび図１Ｃから分かるように、端末が画面ＯＦＦ状態であるとき、端末の表示スクリーンが点灯しておらず、アプリケーションで生成された通知情報を端末で受信すると、表示スクリーンがパワーオンして、通知メッセージを表示する。図１Ｃにおける表示スクリーンに、ツールバーウィジェット、時間ウィジェット、日付ウィジェット、天気ウィジェット、Ｍｉｔａｌｋ（Ｘｉａｏｍｉ社のモバイルメッセージングアプリ）通知情報、カメラアプリケーションアイコン等が表示されている。図１Ｃから分かるように、表示スクリーンに多くのコンテンツが表示されており、そのディスプレイ効果が悪くて、ユーザが通知メッセージに対する注意力を逸らしてしまう。
【００３９】
本実施例では、ディスプレイ待ちの通知メッセージが受信されると、表示スクリーンが画面ＯＦＦ状態から画面ＯＮ状態に入り、表示スクリーンにおいて隠し待ち対象を暗化処理し、前記通知メッセージをディスプレイする。隠し待ち対象は、前記表示スクリーン上に表示された前記通知メッセージ以外の全部あるいは一部の表示コンテンツを含んでもよい。図１Ｄに示すように、本開示による別の端末が表示スクリーンにおいて通知メッセージをディスプレイする模式図であり、図１Ｄから分かるように、本開示の実施例の表示スクリーンに、通知メッセージのみがディスプレイされており、表示スクリーンにディスプレイされたコンテンツがより簡潔になり、ユーザが当該通知メッセージに素早くフォーカスし、表示スクリーンのディスプレイ効果がより良好になり、ユーザ体験が良くなる。
【００４０】
図１Ｄに示す実施例では、隠し待ち対象が表示スクリーン上に表示された前記通知メッセージ以外の表示コンテンツの全てを含むため、表示スクリーンに通知メッセージのみが表示される。他の好適な実現方式では、前記隠し待ち対象は、表示スクリーン上表示された前記通知メッセージ以外の一部の表示コンテンツを含んでもよい。つまり、表示スクリーン上に、通知メッセージをディスプレイする以外に、別のコンテンツもさらにディスプレイしてもよく、例えば、アプリケーションアイコンまたはツールバーウィジェット等をディスプレイしてもよい。
【００４１】
図１Ｅに示すように、本開示の別の端末が表示スクリーンにおいて通知メッセージをディスプレイする模式図であり、図１Ｅから分かるように、表示スクリーンに通知メッセージおよびツールバーウィジェットが表示されており、隠し待ち対象が表示スクリーン上に表示された前記通知メッセージ以外の一部のコンテンツを含み、ツールバーウィジェットは、隠し待ち対象に含まれていない。図１Ｅに示す実施例は、図１Ｃよりも、多くの表示コンテンツが削減され、表示スクリーンにディスプレイされたコンテンツが読みやすくなり、ユーザが当該通知メッセージに素早くフォーカスし、表示スクリーンのディスプレイ効果がより良好になり、ユーザ体験が良くなる。
【００４２】
上記隠し待ち対象は、実際のアプリケーションにおいて実際の必要に応じて柔軟に設定可能であり、本開示は、それについて限定しない。
【００４３】
その中、前記表示スクリーンが画面ＯＦＦ状態から画面ＯＮ状態に切り替わったとき、前記表示スクリーン上において隠し待ち対象を暗化処理し、前記通知メッセージをディスプレイするステップについて、以下の２通りの方式が採用される。
【００４４】
（方式一）
所定の暗化画像を、前記表示スクリーンに表示されたオリジナルロック画面の上層に重畳し表示して、前記隠し待ち対象を暗化する。
【００４５】
ただし、オリジナルロック画面は、表示スクリーンが画面ＯＦＦ状態から画面ＯＮ状態に切り替わる際における所定の表示インターフェースであり、暗化画像は、オリジナルロック画面の全体を被覆し得る画像、または隠し待ち対象を被覆する画像であり、当該暗化画像の透明度は、所定の閾値より小さい。
【００４６】
その中、暗化画像の遮蔽効果を保証するために、当該暗化画像は、透明形態で被覆することができない。ここでの所定の閾値は、１００%であってもよい。
【００４７】
上記暗化画像に対する記述に合わせて、相応的に、通知メッセージをディスプレイする方式も、２通り存在する。
【００４８】
第１種方式は、暗化画像がオリジナルロック画面の全体を被覆し得る画像であり、通知メッセージを暗化画像の上層に重畳表示する。
【００４９】
第２種方式は、暗化画像が隠し待ち対象を被覆する画像であり、通知メッセージを表示スクリーン上に表示する。
【００５０】
本実施例では、端末のオペレーティングシステムのアプリケーション層に上記処理手順を実現可能であり、液晶表示スクリーン等の多種の表示スクリーンに適用される。
【００５１】
第１種方式では、オリジナルロック画面とは、表示スクリーンが画面ＯＦＦ状態から画面ＯＮ状態に切り替える際における所定の表示インターフェースを指し、通知メッセージをハイライト表示するように、暗化画像をオリジナルロック画面の上層に重畳表示してもよい。暗化画像は、隠し待ち対象を暗化し、その透明度が所定の閾値よりも小さく、前記オリジナルロック画面の全体を被覆してもよい。実際のアプリケーションでは、前記透明度が必要に応じて柔軟に設定可能であり、暗化画像の透明度が一定の閾値よりも小さいとき、暗化画像がオリジナルロック画面の表示効果を遮蔽可能であるため、隠し待ち対象を暗化する目的を達成する。暗化画像は、暗色系画像や、黒色画像等の画像であってもよく、実際のアプリケーションの場合は、必要に応じて柔軟に選択可能であり、本開示は、それについて限定しない。
【００５２】
暗化画像でオリジナルロック画面の全体を被覆した後で、通知メッセージがさらに暗化画像の上層に重畳表示されてもよく、通知メッセージの表示形態は、高輝度表示、暗化画像の補色表示等の方式であってもよい。例えば、暗化画像が緑色画像であるとき、通知メッセージを赤色に設定して、ハイライト表示の効果を達成する。
【００５３】
第２種方式では、暗化画像が隠し待ち対象を被覆する画像であり、暗化画像の透明度が所定の閾値よりも小さくて、隠し待ち対象の表示効果を遮蔽することにより、隠し待ち対象を暗化する目的を達成する。暗化画像で隠し待ち対象を被覆した後で、表示スクリーンに通知メッセージをディスプレイする。
【００５４】
本開示の実施例では、暗化画像が前記オリジナルロック画面の全体を被覆し得る画像、または前記隠し待ち対象を被覆する画像であり、暗化画像の透明度が所定の閾値より小さいため、暗化画像により隠し待ち対象を被覆することで、隠し待ち対象を暗化する目的が達成可能であり、さらに通知メッセージを有効にハイライト表示し、表示スクリーンにディスプレイされたコンテンツが読みやすくなり、ユーザが表示スクリーンを見るときに通知メッセージに素早くフォーカス可能であり、ユーザ体験が向上する。
【００５５】
（方式二）
前記表示スクリーンにおける第１の画素点をパワーオン状態にして、前記通知メッセージを表示するように制御する。ただし、第１の画素点は、前記通知メッセージの表示領域に対応する画素点である。
【００５６】
前記表示スクリーンにおける第２の画素点をパワーオフ状態にして、前記隠し待ち対象を暗化する。ただし、第２の画素点は、前記隠し待ち対象の表示領域に対応する画素点である。
【００５７】
本実施例は、端末のオペレーティングシステムのハードウェア層に上記処理手順を実現可能であり、ＯＬＥＤ（Ｏｒｇａｎｉｃ Ｌｉｇｈｔ-Ｅｍｉｔｔｉｎｇ Ｄｉｏｄｅ、有機エレクトロルミネッセンス）等の多種の表示スクリーンに適用する。本実施例では、通知メッセージの表示領域、即ち、通知メッセージの表示スクリーン上でのディスプレイ位置を取得し、前記第１の画素点が表示領域に対応する画素点であり、表示領域に対応する画素点をパワーオンするとき、画素点が点灯して表示スクリーン上に通知メッセージをディスプレイする一方、第２の画素点、即ち、前記隠し待ち対象の表示領域に対応する画素点について、パワーオフ状態に制御して隠し待ち対象を暗化する。
【００５８】
本実施例では、表示スクリーン上における画素点について、通知メッセージのディスプレイ時、通知メッセージの表示領域に対応する画素点をパワーオン状態にして、隠し待ち対象の表示領域に対応する画素点をパワーオフ状態にするように制御するため、通知メッセージを表示スクリーン上にハイライト表示可能であり、表示スクリーンにディスプレイされたコンテンツが読みやすくなり、ユーザが当該通知メッセージに素早くフォーカスし、表示スクリーンのディスプレイ効果がより良好になる。さらに、第１の画素点のみをパワーオン状態に制御し、第２の画素点をパワーオフ状態に制御するため、端末の消費電力も低減可能である。
【００５９】
ある好適な実現方式では、前記通知メッセージを前記表示スクリーン上に表示するステップは、
複数の前記通知メッセージが受信されると、各前記通知メッセージの優先度に基づいて各前記通知メッセージに対応するディスプレイ形態を特定するステップと、
前記通知メッセージに対応する前記ディスプレイ形態に基づいて前記通知メッセージを前記表示スクリーン上に表示するステップとを含んでもよい。
【００６０】
ただし、異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含む。
【００６１】
本実施例では、通知情報は、スマート端末にインストールされたアプリケーションソフトで生成された情報であってもよい。例えば、ＳＭＳアプリケーションで生成されたショットメッセージ、社交アプリケーションで生成された即時通信情報、メールアプリケーションで生成された電子メール通知、および他の各アプリケーションで生成されたプッシュ情報等であってもよい。端末が画面ＯＦＦ状態で複数の通知メッセージを受信すると、ユーザの異なる通知メッセージに対する注目度に応じて、異なるディスプレイ形態に基づいて前記通知メッセージをディスプレイしてもよい。
【００６２】
その中、優先度は、異なるアプリケーションに応じて予め設定されてもよいし、ユーザの使用頻度や、通知メッセージの受信周波数等の要素に応じて設定されてもよい。例えば、社交アプリケーションの通知メッセージを最高優先度に設定し、システム更新等のシステムレベルアプリケーションの通知メッセージを低い優先度に設定してもよい。あるいは、同一のアプリケーションで生成された通知メッセージについて異なる優先度を設定してもよい。例えば、社交アプリケーションが通常複数のチャット友人に関わるため、異なる友人について異なる優先度を設定してもよい。本実施例では、優先度は、実際の必要に応じて柔軟に設定可能であり、本開示は、それについて限定しない。
【００６３】
異なる優先度の前記通知メッセージに対応するディスプレイ形態は、同じあるいは異なる。前記ディスプレイ形態は、ディスプレイ順、輝度値、フォント、文字サイズ、色値のうちのいずれか１つあるいは複数を含む。前記通知メッセージのディスプレイ時、通知メッセージに対応する前記ディスプレイ形態に基づいて前記通知メッセージを前記表示スクリーン上に表示する。
【００６４】
本実施例では、各前記通知メッセージの優先度に基づいて各前記通知メッセージに対応するディスプレイ形態を特定し、異なる優先度にある通知メッセージに対応するディスプレイ形態が同じであってもよいし、異なってもよく、ディスプレイ順、輝度値、フォント、文字サイズ、色値のうちのいずれか１つあるいは複数のディスプレイ形態により通知メッセージをディスプレイするため、通知メッセージのディスプレイ形態がより豊富になり、ユーザ体験が向上する。
【００６５】
図２Ａに示すように、図２Ａは、一実施例による情報ディスプレイ方法を示すフローチャートであり、当該方法は、端末に適用可能であり、当該方法は、上記実施例に加えて、如何にして前記表示スクリーン上において隠し待ち対象を暗化処理し、前記通知メッセージをディスプレイするかの処理手順を記述して、以下のステップを含む。
【００６６】
ステップ２０１では、所定の暗化画像を、前記表示スクリーンに表示されたオリジナルロック画面の上層に重畳し表示して、前記隠し待ち対象を暗化する。
【００６７】
説明必要なことは、本実現方式は、暗化画像を前記オリジナルロック画面の全体を被覆し得る画像にする例について説明する。
【００６８】
ステップ２０２では、前記通知メッセージを前記暗化画像の上層に重畳し表示する。
【００６９】
ステップ２０３では、前記表示スクリーンにおける所定の検出領域にタッチ制御イベントが発生したかどうかを検出する。
【００７０】
ただし、検出領域は、前記表示スクリーンにおける任意領域である。
【００７１】
ステップ２０４では、前記検出領域にタッチ制御イベントが発生したと検出されると、前記表示スクリーンが前記暗化画像の表示を終了して前記隠し待ち対象を表示するように制御する。
【００７２】
なお、説明必要なことは、上述した暗化画像の異なる形態に対する記述に合わせて、該当する通知メッセージをディスプレイする方式も異なる。且つ、以上で記述された２種類のディスプレイ形態に合わせて、当該図２Ａに示す実現方式では、上記第１種ディスプレイ方式を例として記述し、それ相応に、第２種ディスプレイ方式の実行時、対応するステップ２０２での実現方式を通知メッセージを表示スクリーン上に表示するように変更すればよい。他のステップの実現方式が当該図２Ａで記述された実現方式と同じであるため、ここで繰り返し説明しない。
【００７３】
本実施例は、端末のオペレーティングシステムのアプリケーション層に実現可能であり、液晶表示スクリーン等の多種の表示スクリーンタイプに適用する。本実施例では、前記オリジナルロック画面は、表示スクリーンが画面ＯＦＦ状態から画面ＯＮ状態に切り替わる際における所定の表示インターフェースであり、通知メッセージをハイライト表示するように、暗化画像をオリジナルロック画面の上層に重畳表示してもよい。暗化画像は、隠し待ち対象を暗化し、暗化画像の透明度が所定の閾値よりも小さく、前記オリジナルロック画面の全体を被覆してもよい。実際のアプリケーションでは、前記透明度が必要に応じて柔軟に設定可能であり、暗化画像の透明度が一定の閾値よりも小さいとき、暗化画像がオリジナルロック画面の表示効果を遮蔽可能であるため、隠し待ち対象を暗化する目的を達成する。暗化画像は、暗色系画像や、黒色画像等の画像であってもよく、実際のアプリケーションの場合は、必要に応じて柔軟に選択可能であり、本開示は、それについて限定しない。
【００７４】
暗化画像でオリジナルロック画面の全体を被覆した後で、通知メッセージがさらに暗化画像の上層に重畳表示されてもよく、通知メッセージの表示形態は、高輝度表示、暗化画像の補色表示等の方式であってもよい。例えば、暗化画像が緑色画像であるとき、通知メッセージを赤色に設定して、ハイライト表示の効果を達成する。
【００７５】
前記表示スクリーンが前記暗化画像の表示を終了するように制御することは、指令をアプリケーション層からハードウェア層中の表示スクリーンに出力して、暗化画像の表示を停止するよう表示スクリーンに通知してもよい。実際のアプリケーションでは、暗化画像をオリジナルロック画面の上層に重畳表示することは、アプリケーション層において複数の方式で実現可能である。例えば、その表示を、ビュー対象を定義することで実現してもよいし、ウィンドー対象を定義することで実現してもよい。表示スクリーンが前記暗化画像を取り消すように制御するとき、その実現ロジックは、１つのビューの閉じもしくは削除、またはウィンドーの閉じなどであってもよく、表示スクリーンが暗化画像の表示を終了する旨を通知する。
【００７６】
図２Ｂに示すように、本開示の表示スクリーンでオリジナルロック画面を表示する模式図であり、当該オリジナルロック画面では、隠し待ち対象が表示されており、暗化画像をオリジナルロック画面の上層に重畳表示してもよい。図２Ｃに示すように、本開示の暗化画像の模式図であり、当該暗化画像が黒色画像を採用し、その透明度を０にすることで、前記隠し待ち対象を暗化すするため、隠し待ち対象が不可視状態になる。図２Ｄに示すように、本開示の通知メッセージを示す模式図であり、図２Ｅは、本開示の通知メッセージ、暗化画像およびオリジナルロック画面を重畳して表示する模式図であり、図２Ｅでは、暗化画像をオリジナルロック画面の上層に重畳表示して、通知メッセージを暗化画像の上層に重畳表示する。最終的な表示効果が図２Ｆに示されており、図２Ｆは、本開示の表示スクリーンにおいて通知メッセージをディスプレイする模式図である。当該通知メッセージが白色フォントを採用し、つまり、その表示形態が暗化画像の補色表示の形態を採用する。これにより、通知メッセージを暗化画像の上層に被覆するとき、通知メッセージをさらにハイライト表示する。図２Ｆから分かるように、本実施例では、端末表示スクリーンが通知メッセージのみを表示し、通知メッセージに関連しない他の隠し待ち対象を暗化するため、表示スクリーンの表示コンテンツがより簡潔になり、ユーザが当該通知メッセージに素早くフォーカスし、表示スクリーンのディスプレイ効果がより良好になり、ユーザ体験が良くなる。
【００７７】
表示スクリーンに通知メッセージのみが表示されたため、本実施例では、ユーザが隠し待ち対象を閲覧する必要が生じるとき、隠し待ち対象を表示してユーザに閲覧させることができる。実施時、表示スクリーンに検出領域を予め設定してもよく、前記検出領域は、前記表示スクリーンにおける任意の領域、例えば、表示スクリーンの全領域、または、表示スクリーンの中部領域等であってもよい。前記タッチ制御イベントは、クリックイベント、ダブルクリックイベント、スライドイベント等であってもよい。上記検出領域およびタッチ制御イベントは、当業者が必要に応じて柔軟に選択可能であり、本開示の実施例は、それについて限定しない。
【００７８】
検出領域にタッチ制御イベントが発生したと検出されると、前記表示スクリーンが前記暗化画像の表示を終了して前記隠し待ち対象を表示するように制御する。例えば、図２Ｆに示すように、本実施例での検出領域は、表示スクリーン中の全領域であり、タッチ制御イベントは、クリックイベントであり、ユーザが表示スクリーン中の右上場所をクリックすると、前記表示スクリーンが前記暗化画像の表示を終了するように制御するため、オリジナルロック画面が暗化画像によって被覆されなくなり、隠し待ち対象が可視状態になり、ユーザが表示スクリーン上に他の常用情報を便利で迅速に検索でき、ユーザ体験が向上する。
【００７９】
上記実施例より分かるように、本実施例では、所定の暗化画像を前記表示スクリーンに表示されたオリジナルロック画面の上層に重畳表示するため、前記隠し待ち対象を暗化し、通知メッセージを前記暗化画像の上層に重畳表示可能である。このようなディスプレイ形態は、通知メッセージをハイライト表示可能であり、表示スクリーンにディスプレイされたコンテンツが読みやすくなり、ユーザが表示スクリーンを見るときに通知メッセージに素早くフォーカス可能であり、ユーザ体験が向上する。
【００８０】
図３Ａに示すように、図３Ａは、一実施例による別の情報ディスプレイ方法を示すフローチャートであり、当該方法は、端末に適用可能であり、当該方法は、上記実施例に加えて、前記表示スクリーンが画面ＯＦＦ状態から画面ＯＮ状態に切り替わったとき、前記表示スクリーン上において隠し待ち対象を暗化処理して前記通知メッセージをディスプレイする処理手順を記述し、以下のステップを含む。
【００８１】
ステップ３０１では、前記表示スクリーンにおける第１の画素点をパワーオン状態にして、前記通知メッセージを表示するように制御する。
【００８２】
ただし、第１の画素点は、前記通知メッセージの表示領域に対応する画素点である。
【００８３】
ステップ３０２では、前記表示スクリーンにおける第２の画素点をパワーオフ状態にして前記隠し待ち対象を暗化するように制御する。
【００８４】
ただし、第２の画素点は、前記隠し待ち対象の表示領域に対応する画素点である。
【００８５】
ステップ３０３では、前記表示スクリーンにおける所定の検出領域にタッチ制御イベントが発生したかどうかを検出する。
【００８６】
ただし、検出領域は、前記表示スクリーンにおける任意領域である。
【００８７】
ステップ３０４では、前記検出領域にタッチ制御イベントが発生したと検出されると、前記第２の画素点をパワーオフ状態からパワーオン状態に切り替えて前記隠し待ち対象を表示するように制御する。
【００８８】
本実施例は、端末のオペレーティングシステムのハードウェア層に上記処理手順を実現可能であり、ＯＬＥＤ等の多種の表示スクリーンに適用する。ＯＬＥＤの基本構造としては、薄くて半導体特性を有する透明なインジウムスズ酸化物が電力のアノードに接続され、別の金属カソードに接続される。全構造層には、正孔伝送層、発光層および電子伝送層が含まれる。電力が適当な電圧に供給されると、アノード正孔とカソード電荷は、発光層で結合して光を発生する。レシピーの相違に応じて、赤、緑と青というＲＧＢ三原色を生成して、基本的なカラーを構成する。
【００８９】
本実施例では、通知メッセージの表示領域、つまり、表示スクリーン上での通知メッセージのディスプレイ位置を取得する。前記第１の画素点とは、通知メッセージの表示領域に対応する画素点を指す。通知メッセージの表示領域に対応する画素点についてパワーオンするとき、画素点が点灯して、表示スクリーン上で通知メッセージをディスプレイする。その一方、第２の画素点、即ち、前記隠し待ち対象の表示領域に対応する画素点について、パワーオフ状態に制御して、隠し待ち対象を暗化する。
【００９０】
例えば、図３Ｂに示すように、図３Ｂは、本開示によるＯＬＥＤ表示スクリーンおよびその一部を拡大する模式図であり、当該表示スクリーンでは、複数の画素点が含まれ、画素点をパワーオン状態に制御するとき、画素点が点灯して、端末インターフェースの表示を達成する一方、画素点をパワーオフ状態に制御するとき、画素点が消滅する。図３Ｃに示すように、本開示の第１の画素点をパワーオン状態に制御する模式図であり、通知メッセージの表示領域に応じて、表示領域に対応する画素点をパワーオンして、第１の画素点がパワーオン状態になるため、通知メッセージをディスプレイする効果が達成する。その表示効果図３Ｄに示すように、本開示の表示スクリーンにおいて通知メッセージをディスプレイする模式図である。
【００９１】
表示スクリーンに通知メッセージのみが表示されたため、本実施例では、ユーザが隠し待ち対象を閲覧する必要が生じるとき、隠し待ち対象を表示してユーザに閲覧させることができる。実施時、表示スクリーンに検出領域を予め設定してもよく、前記検出領域は、前記表示スクリーンにおける任意の領域、例えば、表示スクリーンの全領域、または、表示スクリーンの中部領域等であってもよい。前記タッチ制御イベントは、クリックイベント、ダブルクリックイベント、スライドイベント等であってもよい。上記検出領域およびタッチ制御イベントは、当業者が必要に応じて柔軟に選択可能であり、本開示の実施例は、それについて限定しない。
【００９２】
検出領域にタッチ制御イベントが発生したと検出されると、前記表示スクリーンが前記暗化画像の表示を終了して前記隠し待ち対象を表示するように制御する。例えば、図３Ｄに示すように、本実施例での検出領域は、表示スクリーンにおける通知メッセージの表示領域以外の全領域であり、タッチ制御イベントは、クリックイベントであり、ユーザが表示スクリーン中の右下場所をクリックすると、前記第２の画素点をパワーオフ状態からパワーオン状態に切り替えて前記隠し待ち対象を表示するように制御する。その際、隠し待ち対象が可視状態であり、ユーザが表示スクリーン上に他の常用情報を便利で迅速に検索でき、ユーザ体験が向上する。
【００９３】
上記実施例より分かるように、表示スクリーン上における画素点について、通知メッセージのディスプレイ時、通知メッセージの表示領域に対応する画素点をパワーオン状態にして、隠し待ち対象の表示領域に対応する画素点をパワーオフ状態にするように制御するため、通知メッセージを表示スクリーン上にハイライト表示可能であり、表示スクリーンにディスプレイされたコンテンツが読みやすくなり、ユーザが当該通知メッセージに素早くフォーカスし、表示スクリーンのディスプレイ効果がより良好になる。さらに、第１の画素点のみをパワーオン状態に制御し、第２の画素点をパワーオフ状態に制御するため、端末の消費電力も低減可能である。
【００９４】
図４に示すように、図４は、本開示の一実施例による情報ディスプレイ装置を示すブロック図であり、前記装置は、受信モジュール４１０と、ディスプレイモジュール４２０とを備える。
【００９５】
受信モジュール４１０は、表示スクリーンが画面ＯＦＦ状態であるとき、ディスプレイ待ちの通知メッセージを受信するように構成される。
【００９６】
ディスプレイモジュール４２０は、前記表示スクリーンが画面ＯＦＦ状態から画面ＯＮ状態に切り替わったとき、前記表示スクリーン上において隠し待ち対象を暗化処理し、前記受信モジュール４１０で受信された通知メッセージをディスプレイするように構成される。
【００９７】
ただし、隠し待ち対象は、表示スクリーン上に表示された前記通知メッセージ以外の全部あるいは一部の表示コンテンツを含む。
【００９８】
上記実施例より分かるように、表示スクリーンが画面ＯＦＦ状態でディスプレイ待ちの通知メッセージを受信すると、表示スクリーンは、画面ＯＮ状態に入り、前記通知メッセージをディスプレイする一方、表示スクリーン上に表示された前記通知メッセージ以外の全部あるいは一部の表示コンテンツを暗化処理するため、本開示は、表示スクリーン上において通知メッセージをハイライト表示可能であり、表示スクリーンにおけるディスプレイコンテンツが読みやすくなり、ユーザが当該通知メッセージに素早くフォーカスし、表示スクリーンのディスプレイ効果がより良好になり、ユーザ体験が良くなる。
【００９９】
図５に示すように、図５は、本開示の一実施例による別の情報ディスプレイ装置を示すブロック図であり、当該実施例は、上記図４に示す実施例に加えて、前記ディスプレイモジュール４２０が第１の表示サブモジュール４２１と第２の表示サブモジュール４２２とを備える。
【０１００】
第１の表示サブモジュール４２１は、所定の暗化画像を、前記表示スクリーンに表示されたオリジナルロック画面の上層に重畳し表示して、前記隠し待ち対象を暗化するように構成される。
【０１０１】
ただし、オリジナルロック画面は、表示スクリーンが画面ＯＦＦ状態から画面ＯＮ状態に切り替わる際における所定の表示インターフェースであり、暗化画像は、前記オリジナルロック画面の全体を被覆し得る画像、または前記隠し待ち対象を被覆する画像であり、暗化画像の透明度は、所定の閾値より小さい。
【０１０２】
第２の表示サブモジュール４２２は、前記暗化画像が前記オリジナルロック画面の全体を被覆し得る画像であるとき、前記通知メッセージを第１の表示サブモジュール４２１によって表示された暗化画像の上層に重畳表示するように構成される。
【０１０３】
第２の表示サブモジュール４２２は、前記暗化画像が前記隠し待ち対象を被覆する画像であるとき、前記通知メッセージを表示スクリーン上に表示するように構成される。
【０１０４】
説明必要なことは、実施例の図４で記述された装置では、暗化画像を前記オリジナルロック画面の全体を被覆し得る画像にする例を記述する。即ち、第１の表示サブモジュール４２１と第２の表示サブモジュール４２２とに接続関係が存在することを示す。
【０１０５】
上記実施例より分かるように、本開示では、暗化画像が前記オリジナルロック画面の全体を被覆し得る画像、または前記隠し待ち対象を被覆する画像であり、暗化画像の透明度が所定の閾値より小さいため、暗化画像により隠し待ち対象を被覆することで、隠し待ち対象を暗化する目的が達成可能であり、さらに通知メッセージを有効にハイライト表示し、表示スクリーンにディスプレイされたコンテンツが読みやすくなり、ユーザが表示スクリーンを見るときに通知メッセージに素早くフォーカス可能であり、ユーザ体験が向上する。
【０１０６】
図６に示すように、図６は、本開示の一実施例による別の情報ディスプレイ装置を示すブロック図であり、当該実施例は、上記図４に示す実施例に加えて、前記ディスプレイモジュール４２０が第１の検出サブモジュール４２３と第１の制御サブモジュール４２４とをさらに備えてもよい。
【０１０７】
ただし、第１の検出サブモジュール４２３は、前記表示スクリーンにおける所定の検出領域にタッチ制御イベントが発生したかどうかを検出するように構成される。
【０１０８】
ただし、検出領域は、前記表示スクリーンにおける任意領域である。
【０１０９】
第１の制御サブモジュール４２４は、前記検出領域にタッチ制御イベントが発生したと第１の検出サブモジュール４２３によって検出されたとき、前記表示スクリーンが前記暗化画像の表示を終了して前記オリジナルロック画面を表示するように制御するように構成される。
【０１１０】
上記実施例より分かるように、表示スクリーンにおける所定の検出領域にタッチ制御イベントが発生したとき、前記表示スクリーンが前記暗化画像の表示を終了して前記オリジナルロック画面を表示するように制御するため、隠し待ち対象が暗化状態でなくなり、表示スクリーン上で他の表示コンテンツを表示可能であり、ユーザが表示スクリーン上に他の常用情報を便利で迅速に検索でき、ユーザ体験が向上する。
【０１１１】
図７に示すように、図７は、本開示の一実施例による別の情報ディスプレイ装置を示すブロック図であり、当該実施例は、上記図４に示す実施例に加えて、前記ディスプレイモジュール４２０が第２の制御サブモジュール４２５と、第３の制御サブモジュール４２６とをさらに備えてもよい。
【０１１２】
第２の制御サブモジュール４２５は、前記表示スクリーンにおける第１の画素点をパワーオン状態にして前記通知メッセージを表示するように制御するように構成される。
【０１１３】
ただし、第１の画素点は、前記通知メッセージの表示領域に対応する画素点である。
【０１１４】
第３の制御サブモジュール４２６は、前記表示スクリーンにおける第２の画素点の全部あるいは一部をパワーオフ状態にして前記隠し待ち対象を暗化するように制御するように構成される。
【０１１５】
ただし、第２の画素点は、前記隠し待ち対象の表示領域に対応する画素点である。
【０１１６】
上記実施例より分かるように、表示スクリーン上における画素点について、通知メッセージのディスプレイ時、通知メッセージの表示領域に対応する画素点をパワーオン状態にして、隠し待ち対象の表示領域に対応する画素点をパワーオフ状態にするように制御するため、通知メッセージを表示スクリーン上にハイライト表示可能であり、表示スクリーンにディスプレイされたコンテンツが読みやすくなり、ユーザが当該通知メッセージに素早くフォーカスし、表示スクリーンのディスプレイ効果がより良好になる。さらに、第１の画素点のみをパワーオン状態に制御し、第２の画素点をパワーオフ状態に制御するため、端末の消費電力も低減可能である。
【０１１７】
図８に示すように、図８は、本開示の一実施例による別の情報ディスプレイ装置を示すブロック図であり、当該実施例は、上記図４に示す実施例に加えて、前記ディスプレイモジュール４２０が第２の検出サブモジュール４２７と第４の制御サブモジュール４２８とをさらに備える。
【０１１８】
第２の検出サブモジュール４２７は、前記表示スクリーンにおける所定の検出領域にタッチ制御イベントが発生したかどうかを検出するように構成される。
【０１１９】
ただし、検出領域は、前記表示スクリーンにおける任意領域である。
【０１２０】
第４の制御サブモジュール４２８、前記検出領域にタッチ制御イベントが発生したと前記第２の検出サブモジュール４２７によって検出されたとき、前記第２の画素点をパワーオフ状態からパワーオン状態に切り替えて前記隠し待ち対象を表示するように制御するように構成される。
【０１２１】
上記実施例より分かるように、表示スクリーンにおける所定の検出領域にタッチ制御イベントが発生したとき、パワーオフ状態にある第２の画素点をパワーオン状態にして前記隠し待ち対象を表示するため、隠し待ち対象が暗化状態でなくなり、表示スクリーン上で他の表示コンテンツを表示可能であり、ユーザが表示スクリーン上に他の常用情報を便利で迅速に検索でき、ユーザ体験が向上する。
【０１２２】
図９に示すように、図９は、本開示の一実施例による別の情報ディスプレイ装置を示すブロック図であり、当該実施例は、上記図４に示す実施例に加えて、前記ディスプレイモジュール４２０が特定サブモジュール４２９とディスプレイサブモジュール４２１０とを備えてもよい。
【０１２３】
特定サブモジュール４２９は、複数の前記通知メッセージが受信されると、各前記通知メッセージの優先度に基づいて各前記通知メッセージに対応するディスプレイ形態を特定するように構成される。
【０１２４】
ただし、異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含む。
【０１２５】
ディスプレイサブモジュール４２１０は、前記通知メッセージに対応する前記ディスプレイ形態に基づいて前記通知メッセージを前記表示スクリーン上に表示するように構成される。
【０１２６】
上記実施例より分かるように、本開示では、各前記通知メッセージの優先度に基づいて各前記通知メッセージに対応するディスプレイ形態を特定し、異なる優先度にある通知メッセージに対応するディスプレイ形態が同じであってもよいし、異なってもよく、ディスプレイ順、輝度値、フォント、文字サイズ、色値のうちのいずれか１つあるいは複数のディスプレイ形態により通知メッセージをディスプレイしてもよく、通知メッセージのディスプレイ形態がより豊富になり、ユーザ体験が向上する。
【０１２７】
それ相応に、本開示は、情報ディスプレイ装置を提供する。前記装置は、プロセッサと、プロセッサの実行可能な指令を記憶するためのメモリとを備え、前記プロセッサは、表示スクリーンが画面ＯＦＦ状態であるとき、ディスプレイ待ちの通知メッセージを受信し、前記表示スクリーンが画面ＯＦＦ状態から画面ＯＮ状態に切り替わったとき、前記表示スクリーン上において隠し待ち対象を暗化処理し、前記通知メッセージをディスプレイするように構成される。ただし、隠し待ち対象は、表示スクリーン上に表示された前記通知メッセージ以外の全部あるいは一部の表示コンテンツを含む。
【０１２８】
上記装置における各モジュールの機能および作用の実現手順の詳細は、上記方法における対応するステップの実現手順を参照すればよいため、ここで繰り返し説明しない。
【０１２９】
装置実施例が基本的に方法実施例に対応するため、関連箇所は、方法実施例部分の説明を参照すればよい。以上に記載の装置実施例は、単なる模式的である。その中の分離部品として説明されたモジュールは、物理的に離間してもよいし、しなくてもよい。モジュールとして表示された部品は、物理モジュールであってもよいし、でなくてもよい。即ち、１箇所に位置してもよいし、複数のネットワークモジュールに分散してもよい。実際の必要に応じて、その中の一部または全部のモジュールを選択して本開示の目的を達成してもよい。当業者は、進歩性に値する労働をせずに、理解し実施可能である。
【０１３０】
図１０に示すように、図１０は、本開示の一実施例による情報ディスプレイ装置１０００のためのブロック図である。例えば、装置１０００は、ルーティング機能を有する携帯電話、コンピュータ、デジタル放送端末、メッセージ送受信機器、ゲームコンソール、タブレットデバイス、医療設備、フィットネス機器、ＰＤＡなどであってもよい。
【０１３１】
図１０を参照すると、装置１０００は、以下の１つ又は複数のユニット、すなわち、処理ユニット１００２、メモリ１００４、電源ユニット１００６、マルチメディアユニット１００８、オーディオユニット１０１０、入力/出力（Ｉ/Ｏ）インターフェース１０１２、センサユニット１０１４及び通信ユニット１０１６を備えてもよい。
【０１３２】
処理ユニット１００２は、通常、装置１０００の全般操作、例えば、表示、電話発呼、データ通信、カメラ操作及び記録操作に関連する操作を制御する。処理ユニット１００２は、前記方法のステップの全部又は一部を実行するように、指令を実行する１つ又は複数のプロセッサ１０２０を備えてもよい。また、処理ユニット１００２は、処理ユニット１００２と他のユニットとの間の相互作用を容易にするように、１つ又は複数のモジュールを備えてもよい。例えば、処理ユニット１００２は、マルチメディアユニット１００８と処理ユニット１００２との間の相互作用を容易にするように、マルチメディアモジュールを備えてもよい。
【０１３３】
メモリ１００４は、装置１０００での操作をサポートするために、各種別のデータを記憶するように構成される。これらのデータの例示は、装置１０００で操作する如何なるアプリケーションプログラムまたは方法の指令、連絡人データ、電話帳データ、メッセージ、ピクチャ、映像などを含む。メモリ１００４は、如何なる種別の揮発性もしくは不揮発性記憶デバイスまたはそれらの組合せ、例えば、静的ランダムアクセスメモリ（ＳＲＡＭ）、電気的に消去可能なプログラマブル読み出し専用メモリ（ＥＥＰＲＯＭ）、消去可能なプログラマブル読み出し専用メモリ（ＥＰＲＯＭ）、プログラマブル読み出し専用メモリ（ＰＲＯＭ）、読み出し専用メモリ（ＲＯＭ）、磁気メモリ、フラッシュメモリ、磁気ディスクまたは光ディスクによって実現されてもよい。
【０１３４】
電源ユニット１００６は、装置１０００のユニットのそれぞれに電力を供給する。電源ユニット１００６は、電源管理システム、１つまたは複数の電源、並びに、装置１０００用の電力を生成、管理および配分するに関する他のユニットを含んでもよい。
【０１３５】
マルチメディアユニット１００８は、前記装置１０００とユーザとの間に1つの出力インターフェースを供給するスクリーンを備える。一部の実施例では、スクリーンは、液晶ディスプレイ（ＬＣＤ）およびタッチパネル（ＴＰ）を含んでも良い。スクリーンは、タッチパネルを含む場合、ユーザからの入力信号を受信するように、タッチスクリーンとして実現されてもよい。タッチパネルは、タッチ、スライドおよびタッチパネルでのジェスチャーを感知するように、１つまたは複数のタッチセンサを含む。前記タッチセンサは、タッチまたはスライド動作の境界を感知するだけではなく、前記タッチまたはスライド操作と関連する持続時間および圧力をさらに検出することができる。一部の実施例では、マルチメディアユニット１００８は、１つのフロントカメラおよび/またはバックカメラを含む。装置１０００が操作モード、例えば、撮像モードまたは映像モードにあるとき、フロントカメラおよび/またはバックカメラは、外部のマルチメディアデータを受信することができる。フロントカメラおよびバックカメラのそれぞれは、１つの固定の光学レンズシステムであってもよいし、焦点距離および光学ズーム能力を有するものであってもよい。
【０１３６】
オーディオユニット１０１０は、オーディオ信号を出力および/または入力するように構成される。例えば、オーディオユニット１０１０は、マイク（ＭＩＣ）を備え、装置１０００が操作モード、例えば、発呼モード、記録モードおよび音声識別モードにあるとき、マイクは、外部オーディオ信号を受信するように構成される。受信されたオーディオ信号は、さらに、メモリ１００４に記憶される、または、通信ユニット１０１６を介して送信されることができる。一部の実施例では、オーディオユニット１０１０は、さらに、オーディオ信号を出力するためのスピーカをさらに含む。
【０１３７】
Ｉ/Ｏインターフェース１０１２は、処理ユニット１００２とペリフェラルインターフェースモジュールとの間でインターフェースを供給するものであり、前記ペリフェラルインターフェースモジュールは、キーボード、クリックホイール、ボタンなどであってもよい。これらのボタンは、ホームページボタン、ボリュームボタン、起動ボタンおよびロックボタンを含んでも良いが、それらに限定されない。
【０１３８】
センサユニット１０１４は、いろんな方面での状態推定を装置１０００に供給するための１つまたは複数のセンサを含む。例えば、センサユニット１０１４は、装置１０００のオン/オフ状態、ユニットの相対位置を検出することができ、例えば、前記ユニットは、装置１０００のディスプレイおよびキーパッドである。センサユニット１０１４は、さらに、装置１０００もしくは装置１０００の１つのユニットの位置変更、ユーザと装置１０００との接触の存在もしくは不存在、装置１０００の方位または加速/減速および装置１０００の温度変化をさらに検出することができる。センサユニット１０１４は、如何なる物理的接触もないとき、近辺にある物体の存在を検出するための近接センサを含んでもよい。センサユニット１０１４は、さらに、イメージングアプリケーションに使用される光センサ、例えばＣＭＯＳまたはＣＣＤ画像センサを含んでも良い。一部の実施例では、当該センサユニット１０１４は、さらに、加速度センサ、ジャイロセンサ、磁気センサ、圧力センサ、マイクロ波センサまたは温度センサを含んでも良い。
【０１３９】
通信ユニット１０１６は、装置１０００と他の機器間の無線または有線方式の通信が便利になるように構成される。装置１０００は、通信規格に基づく無線ネットワーク、例えば、ＷｉＦｉ、２Ｇもしくは３Ｇ、またはそれらの組合せにアクセスすることができる。ある実施例では、通信ユニット１０１６は、外部ブロードキャスト管理システムからのブロードキャスト信号またはブロードキャスト関連情報をブロードキャストチャネルを介して受信する。ある実施例では、前記通信ユニット１０１６は、さらに、短距離通信を容易にするように、ニアフィールド通信（ＮＦＣ）モジュールを含んでも良い。例えば、ＮＦＣモジュールでは、無線周波数識別（ＲＦＩＤ）技術、赤外データ協会（ＩｒＤＡ）技術、超広帯域（ＵＷＢ）技術、ブルートゥース（登録商標）（ＢＴ）技術および他の技術によって実現されてもよい。
【０１４０】
実施例では、装置１０００は、上記方法を実行するための１つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサまたは他の電子部品によって実現されてもよい。
【０１４１】
実施例では、指令を含む非一時的コンピュータ読み取り可能な記憶媒体、例えば、指令を含むメモリ１００４をさらに提供し、上記指令が装置１０００のプロセッサ１０２０によって実行されることで上述した方法を実施させることができる。例えば、前記非一時的コンピュータ読み取り可能な記憶媒体は、ＲＯＭ、ランダムアクセスメモリ（ＲＡＭ）、ＣＤ-ＲＯＭ、磁気テープ、フロッピーディスクおよび光データ記憶機器などであっても良い。
【０１４２】
非一時的コンピュータ読み取り可能な記憶媒体を提供する。前記記憶媒体における指令が端末のプロセッサによって実行されるとき、端末が情報ディスプレイ方法を実行可能である。前記方法は、
表示スクリーンが画面ＯＦＦ状態であるとき、ディスプレイ待ちの通知メッセージを受信するステップと、
前記表示スクリーンが画面ＯＦＦ状態から画面ＯＮ状態に切り替わったとき、前記表示スクリーン上において隠し待ち対象を暗化処理し、前記通知メッセージをディスプレイするステップと、を含み、
ただし、隠し待ち対象は、表示スクリーン上に表示された前記通知メッセージ以外の全部あるいは一部の表示コンテンツを含む。
【０１４３】
当業者は明細書を考慮し、ここに公開された開示を実践した後、本開示の他の実施案を容易に想到する。本願は、本開示の如何なる変形、用途または適応的変化もカバーすることを意図する。これらの変形、用途または適応的変化は、本開示の一般的な仕組みに従い、かつ、本開示に開示されていない当分野における公知常識または慣用技術手段を含む。明細書および実施例は単なる例示と見なされ、本開示の本当の範囲および思想は添付の特許請求の範囲によって与えられる。
【０１４４】
本開示が以上で記述されて図面に示された正確な構造に限定されるものでなく、その要旨を逸脱しない範囲で様々な補正や変更も可能であることは理解されるべきである。本開示の範囲は、添付する特許請求の範囲のみによって限定される。
【０１４５】
上述したのは、本開示の好適な実施例に過ぎず、本開示を制限するためのものではない。本開示の思想および要旨内でなされた如何なる補正、同等置換、改良等も、本開示の保護範囲内に含まれる。 
【手続補正２】
【補正対象書類名】特許請求の範囲
【補正対象項目名】全文
【補正方法】変更
【補正の内容】
【特許請求の範囲】
【請求項１】
表示スクリーンが画面ＯＦＦ状態であるとき、ディスプレイ待ちの通知メッセージを受信するステップと、
前記表示スクリーンが画面ＯＦＦ状態から画面ＯＮ状態に切り替わったとき、前記表示スクリーン上において隠し待ち対象を暗化処理し、前記通知メッセージをディスプレイするステップと、を含み、
前記隠し待ち対象は、前記表示スクリーン上に表示された前記通知メッセージ以外の全部あるいは一部の表示コンテンツを含むことを特徴とする情報ディスプレイ方法。
【請求項２】
前記表示スクリーン上において隠し待ち対象を暗化処理し、前記通知メッセージをディスプレイするステップは、
前記オリジナルロック画面の全体を被覆し得る画像である、あるいは、前記隠し待ち対象を被覆する画像である所定の暗化画像を、前記表示スクリーンに表示されたオリジナルロック画面の上層に重畳し表示して、前記隠し待ち対象を暗化するステップと、
前記暗化画像が前記オリジナルロック画面の全体を被覆し得る画像であるとき、前記通知メッセージを前記暗化画像の上層に重畳し表示するステップ、または、
前記暗化画像が前記隠し待ち対象を被覆する画像であるとき、前記通知メッセージを前記表示スクリーン上に表示するステップと、を含み、
前記オリジナルロック画面は、表示スクリーンが画面ＯＦＦ状態から画面ＯＮ状態に切り替わる際における所定の表示インターフェースであり、前記暗化画像の透明度は、所定の閾値よりも小さいことを特徴とする請求項１に記載の情報ディスプレイ方法。
【請求項３】
前記表示スクリーンにおける所定の検出領域に、タッチ制御イベントが発生したかどうかを検出するステップと、
前記検出領域にタッチ制御イベントが発生したと検出されると、前記表示スクリーンが前記暗化画像の表示を終了して前記隠し待ち対象を表示するように制御するステップと、をさらに含み、
前記検出領域は、前記表示スクリーンにおける任意の領域であることを特徴とする請求項２に記載の情報ディスプレイ方法。
【請求項４】
前記表示スクリーンが画面ＯＦＦ状態から画面ＯＮ状態に切り替わったとき、前記表示スクリーン上において隠し待ち対象を暗化処理し、前記通知メッセージをディスプレイするステップは、
前記表示スクリーンにおける第１の画素点をパワーオン状態にして、前記通知メッセージを表示するように制御するステップと、
前記表示スクリーンにおける第２の画素点をパワーオフ状態にして、前記隠し待ち対象を暗化するステップと、を含み、
前記第１の画素点は、前記通知メッセージの表示領域に対応する画素点であり、前記第２の画素点は、前記隠し待ち対象の表示領域に対応する画素点であることを特徴とする請求項１に記載の情報ディスプレイ方法。
【請求項５】
前記表示スクリーンにおける所定の検出領域に、タッチ制御イベントが発生したかどうかを検出するステップと、
前記検出領域にタッチ制御イベントが発生したと検出されると、前記第２の画素点をパワーオフ状態からパワーオン状態に切り替えて前記隠し待ち対象を表示するように制御するステップと、をさらに含み、
前記検出領域は、前記表示スクリーンにおける任意の領域であることを特徴とする請求項４に記載の情報ディスプレイ方法。
【請求項６】
前記通知メッセージを前記表示スクリーン上に表示するステップは、
複数の前記通知メッセージが受信されると、各前記通知メッセージの優先度に基づいて各前記通知メッセージに対応するディスプレイ形態を特定するステップと、
前記通知メッセージに対応する前記ディスプレイ形態に基づいて前記通知メッセージを前記表示スクリーン上に表示するステップと、を含み、
異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含むことを特徴とする請求項１から５のいずれかに記載の情報ディスプレイ方法。
【請求項７】
表示スクリーンが画面ＯＦＦ状態であるとき、ディスプレイ待ちの通知メッセージを受信するための受信モジュールと、
前記表示スクリーンが画面ＯＦＦ状態から画面ＯＮ状態に切り替わったとき、前記表示スクリーン上において隠し待ち対象を暗化処理し、前記通知メッセージをディスプレイするためのディスプレイモジュールと、を備え、
前記隠し待ち対象は、前記表示スクリーン上に表示された前記通知メッセージ以外の全部あるいは一部の表示コンテンツを含むことを特徴とする情報ディスプレイ装置。
【請求項８】
前記ディスプレイモジュールは、
前記オリジナルロック画面の全体を被覆し得る画像である、あるいは、前記隠し待ち対象を被覆する画像である所定の暗化画像を、前記表示スクリーンに表示されたオリジナルロック画面の上層に重畳し表示して、前記隠し待ち対象を暗化するための第１の表示サブモジュールと、
前記暗化画像が前記オリジナルロック画面の全体を被覆し得る画像であるとき、前記通知メッセージを前記暗化画像の上層に重畳し表示するための第２の表示サブモジュール、または、
前記暗化画像が前記隠し待ち対象を被覆する画像であるとき、前記通知メッセージを前記表示スクリーン上に表示するための第２の表示サブモジュールとを備え、
前記オリジナルロック画面は、表示スクリーンが画面ＯＦＦ状態から画面ＯＮ状態に切り替わる際における所定の表示インターフェースであり、前記暗化画像の透明度は、所定の閾値よりも小さいことを特徴とする請求項７に記載の情報ディスプレイ装置。
【請求項９】
前記ディスプレイモジュールは、
前記表示スクリーンにおける所定の検出領域に、タッチ制御イベントが発生したかどうかを検出するための第１の検出サブモジュールと、
前記検出領域にタッチ制御イベントが発生したと検出されると、前記表示スクリーンが前記暗化画像の表示を終了して前記オリジナルロック画面を表示するように制御するための第１の制御サブモジュールと、をさらに備え、
前記検出領域は、前記表示スクリーンにおける任意の領域であることを特徴とする請求項８に記載の情報ディスプレイ装置。
【請求項１０】
前記ディスプレイモジュールは、
前記表示スクリーンにおける第１の画素点をパワーオン状態にして、前記通知メッセージを表示するように制御するための第２の制御サブモジュールと、
前記表示スクリーンにおける第２の画素点の全部あるいは一部をパワーオフ状態にして、前記隠し待ち対象を暗化するための第３の制御サブモジュールと、を備え、
前記第１の画素点は、前記通知メッセージの表示領域に対応する画素点であり、前記第２の画素点は、前記隠し待ち対象の表示領域に対応する画素点であることを特徴とする請求項７に記載の情報ディスプレイ装置。
【請求項１１】
前記ディスプレイモジュールは、
前記表示スクリーンにおける所定の検出領域に、タッチ制御イベントが発生したかどうかを検出するための第２の検出サブモジュールと、
前記検出領域にタッチ制御イベントが発生したと検出されると、前記第２の画素点をパワーオフ状態からパワーオン状態に切り替えて前記隠し待ち対象を表示するように制御するための第４の制御サブモジュールと、をさらに備え、
前記検出領域は、前記表示スクリーンにおける任意の領域であることを特徴とする請求項１０に記載の情報ディスプレイ装置。
【請求項１２】
前記ディスプレイモジュールは、
複数の前記通知メッセージが受信されると、各前記通知メッセージの優先度に基づいて各前記通知メッセージに対応するディスプレイ形態を特定するための特定サブモジュールと、
前記通知メッセージに対応する前記ディスプレイ形態に基づいて前記通知メッセージを前記表示スクリーン上に表示するためのディスプレイサブモジュールと、を備え、
異なる優先度にある前記通知メッセージに対応するディスプレイ形態は、同じあるいは異なり、前記ディスプレイ形態は、ディスプレイ順、輝度値、フォント、文字サイズ、色値のうちのいずれか１つあるいは複数を含むことを特徴とする請求項７から１１のいずれかに記載の情報ディスプレイ装置。
【請求項１３】
プロセッサと、
プロセッサの実行可能な指令を記憶するためのメモリと、を備え、
前記プロセッサは、
表示スクリーンが画面ＯＦＦ状態であるとき、ディスプレイ待ちの通知メッセージを受信し、
前記表示スクリーンが画面ＯＦＦ状態から画面ＯＮ状態に切り替わったとき、前記表示スクリーン上において隠し待ち対象を暗化処理し、前記通知メッセージをディスプレイするように構成され、
前記隠し待ち対象は、前記表示スクリーン上に表示された前記通知メッセージ以外の全部あるいは一部の表示コンテンツを含むことを特徴とする情報ディスプレイ装置。
【請求項１４】
プロセッサに実行されることにより、請求項１から請求項６のいずれか１項に記載の情報ディスプレイ方法を実現することを特徴とするプログラム。
【請求項１５】
請求項１４に記載のプログラムが記録された記録媒体。
【国際調査報告】
2017526016.tif 000025
2017526016.tif 000026
2017526016.tif 000027
2017526016.tif 000028